(57)【要約】【課題】多数のトラックから限られた操作手段および表示手段を用いて効率よくトラックを選択する。【解決手段】表示部５１Ｂに、ドットが２次元的に配置されマトリクス表示２０１として表示される。ドットの表示位置は、それぞれトラックに対応している。ドット２１０、２１１がそれぞれ第１、第２トラックに対応し、隣のグループのドット２１２が第２６トラックに対応し、現在選択中のドットのトラック番号が文字表示２００として表示される。現在選択中のドットは、例えば点滅表示される。操作に応じて点滅表示のドットが縦横に移動され、所定の確定操作を行うと、そのとき点滅表示しているドットの位置に対応したトラックが選択され、再生される。２次元的な表示を用いてトラックの選択を行うため、多数のトラックから１を選択することが容易に行える。【選択図】  図４７
2005018881.tif 000002
【特許請求の範囲】
【請求項１】
複数のトラックから１を選択するための表示を行う表示方法において、
シンボルをトラックの配列に対応付けた２次元的な配置で表示する第１の表示モードを有する表示のステップと、
ユーザの操作に応じて、上記表示のステップにより表示された上記シンボルのうち１を特定する特定のステップと、
上記特定のステップで特定された上記シンボルを確定する確定のステップと
を備え、
上記確定のステップで確定された上記シンボルに対応する上記トラックを選択するようにしたことを特徴とする表示方法。
【請求項２】
請求項１に記載の表示方法において、
上記特定のステップで特定された上記シンボルを、他のシンボルで表示するようにしたことを特徴とする表示方法。
【請求項３】
請求項２に記載の表示方法において、
上記他のシンボルは、上記シンボルを点滅表示させたシンボルであることを特徴とする表示方法。
【請求項４】
請求項２に記載の表示方法において、
上記他のシンボルは、上記シンボルと大きさが異なるシンボルであることを特徴とする表示方法。
【請求項５】
請求項２に記載の表示方法において、
上記他のシンボルは、上記シンボルと色が異なるシンボルであることを特徴とする表示方法。
【請求項６】
請求項２に記載の表示方法において、
上記他のシンボルは、上記シンボルと形が異なるシンボルであることを特徴とする表示方法。
【請求項７】
請求項１に記載の表示方法において、
上記シンボルは、ドット表示であることを特徴とする表示方法。
【請求項８】
請求項１に記載の表示方法において、
上記特定のステップで特定された上記シンボルが対応する上記トラックの上記配列上の位置を示す情報をさらに表示するようにしたことを特徴とする表示方法。
【請求項９】
請求項１に記載の表示方法において、
上記特定のステップで特定された上記シンボルが対応する上記トラックに関連する情報をさらに表示するようにしたことを特徴とする表示方法。
【請求項１０】
請求項９に記載の表示方法において、
上記トラック関連する情報は、該トラックのタイトル情報であることを特徴とする表示方法。
【請求項１１】
請求項１に記載の表示方法において、
上記表示のステップは、所定数の上記シンボルをひとまとまりのグループとして該グループ毎に上記２次元的な配置の表示を行うようにしたことを特徴とする表示方法。
【請求項１２】
請求項１１に記載の表示方法において、
複数の上記グループを互いに識別可能に表示するようにしたことを特徴とする表示方法。
【請求項１３】
請求項１２に記載の表示方法において、
上記グループ毎に間隔を空けて表示するようにしたことを特徴とする表示方法。
【請求項１４】
請求項１１に記載の表示方法において、
所定数の上記グループからなる行を上記トラックの数に応じて１または複数行、表示可能であることを特徴とする表示方法。
【請求項１５】
請求項１４に記載の表示方法において、
同時に所定数行を表示可能とされ、表示される上記行を上記特定のステップによる上記シンボルの特定に応じて順次切り換えるようにしたことを特徴とする表示方法。
【請求項１６】
請求項１４に記載の表示方法において、
上記特定のステップにより特定された上記シンボルを含まない上記行について、該行に含まれる１のトラックの上記配列上の位置を示す情報をさらに表示するようにしたことを特徴とする表示方法。
【請求項１７】
請求項１に記載の表示方法において、
上記表示のステップは、トラック毎の情報を１次元的に表示する第２の表示モードをさらに有し、
上記第１の表示モードと上記第２の表示モードとを切り換え可能としたことを特徴とする表示方法。
【請求項１８】
請求項１７に記載の表示方法において、
トラック数が閾値より多いときには上記第１の表示モードに、トラック数が上記閾値より少ないときには上記第２の表示モードに、自動的に切り換えられるようにしたことを特徴とする表示方法。
【請求項１９】
請求項１７に記載の表示方法において、
ユーザの操作に応じて上記第１の表示モードおよび上記第２の表示モードが切り換えられるようにしたことを特徴とする表示方法。
【請求項２０】
記録媒体に記録された複数のトラックから１を選択して再生する再生装置において、
記録媒体に記録されたトラックの情報を取得するトラック情報取得手段と、
シンボルを上記トラックの配列に対応付けた２次元的な配置で表示する表示モードを有する表示手段と、
ユーザの操作に応じて、上記表示手段により表示された上記シンボルのうち１を特定すると共に、特定された上記シンボルを確定する操作手段と、
上記操作手段で上記確定された上記シンボルに対応する上記トラックを再生する再生手段と
を備えることを特徴とする再生装置。
【発明の詳細な説明】
【０００１】
【発明の属する技術分野】
この発明は、多数のトラックから１を効率よく選択できる表示方法および再生装置に関する。
【０００２】
【従来の技術】
従来から、ディジタルオーディオデータを記録再生するための記録媒体として、カートリッジに収納された直径６４ｍｍの光磁気ディスクであるミニディスク（ＭＤ）が広く普及している。ＭＤシステムでは、オーディオデータの圧縮方式として、ＡＴＲＡＣ（Ａｄａｐｔｉｖｅ  ＴＲａｎｓｆｏｒｍ  Ａｃｏｕｓｔｉｃ  Ｃｏｄｉｎｇ）が用いられ、音楽データの管理には、Ｕ−ＴＯＣ（ユーザＴＯＣ（Ｔａｂｌｅ  Ｏｆ  Ｃｏｎｔｅｎｔｓ））が用いられている。すなわち、ディスクのレコーダブル領域の内周には、Ｕ−ＴＯＣと呼ばれる領域が設けられる。Ｕ−ＴＯＣは、現行のＭＤシステムにおいて、トラック（オーディオトラック／データトラック）の曲順、記録、消去などに応じて書き換えられる管理情報であり、各トラック（トラックを構成するパーツ）について、開始位置、終了位置や、モードを管理するものである。
【０００３】
一方、近年では、音楽などの記録再生を行うようにされた携帯型の記録再生装置においても、ハードディスクドライブを内蔵し尚かつ極めて小型に構成された製品が出現している。このような携帯型の記録再生装置は、通常、記録されている音楽データの管理を、パーソナルコンピュータと接続して行う。例えば、パーソナルコンピュータが有するハードディスクドライブに多数の音楽データを格納してライブラリを構築して、パーソナルコンピュータでミュージックサーバを構成する。音楽データは、ＣＤ（Ｃｏｍｐａｃｔ  Ｄｉｓｃ）からのリッピングや、インターネットなどのネットワーク上に展開される音楽配信システムを利用してネットワークからのダウンロードにより取得する方法が一般的である。
【０００４】
ここで、現行のＭＤシステムのディスクは、記録容量が１６０ＭＢ程度である。現行のＭＤとの互換性を確保しつつ、記録容量を増大させたディスクを用いることで、上述したハードディスクドライブを用いた携帯型の記録再生装置と同等の機能を実現することが可能であると考えられる。現行のＭＤシステムのディスクの大容量化を図るためには、レーザ波長や光学ヘッドの開口率ＮＡを改善する必要がある。しかしながら、レーザ波長や光学ヘッドの開口率ＮＡの改善には限界がある。そのため、磁気超解像などの技術を用いて大容量化するシステムが提案されている。
【０００５】
さらに、オーディオデータの圧縮符号化方式の改善などを併用することにより、１枚のディスクに対してより多くのトラックを記録することが可能とされる。
【０００６】
このように、記録媒体の記録容量の大容量化、オーディオデータの圧縮符号化方式の改善などに伴い、記録媒体に記録できるトラック数も増大する。記録可能なトラック数が多くなると、トラックの選択方法にも工夫が必要とされる。特に、携帯型の記録再生装置では、トラックを選択するための操作手段や表示手段として限られたものしか用いることができないため、操作性および視認性が良いインターフェイスの開発は、特に重要である。
【０００７】
一例として、現行のＭＤシステムでは、２５５トラックの記録が可能とされており、特許文献１に記載されるような、順番にトラックをサーチする１次元的な方法でトラックのサーチを行った場合でも、希望するトラックを特定するまでに必要な操作回数は、それ程多くはなかった。トラックに対してグループ化を行えば、さらに操作回数を減らすことが可能である。例えば、２５０トラックを１０のグループに纏めるようにグループ化を行い、１０グループ×２５トラックとした場合、最も操作回数が多くなる場合でも（１０＋２５）回の操作で希望のトラックを選択できた。
【０００８】
【特許文献１】
特開２００２−３２９３８９号公報
【０００９】
【発明が解決しようとする課題】
一方、上述の記録容量が大容量化されたシステムでは、記録可能なトラックが例えば２０４７トラックとされ、１次元的なサーチでは必要な操作回数が多くなりすぎるという問題点があった。操作回数を最小にするようにトラックのグループ化を行っても、４５グループ×４５トラックであり、最も操作回数が多い場合９０回の操作が必要となり、使い勝手がよくないという問題点があった。
【００１０】
したがって、この発明の目的は、記録可能なトラック数が増大しても、限られた操作手段および表示手段を用いて効率よくトラックを選択することができるような選曲方法および再生装置を提供することにある。
【００１１】
【課題を解決するための手段】
この発明は、上述した課題を解決するために、複数のトラックから１を選択するための表示を行う表示方法において、シンボルをトラックの配列に対応付けた２次元的な配置で表示する第１の表示モードを有する表示のステップと、ユーザの操作に応じて、表示のステップにより表示されたシンボルのうち１を特定する特定のステップと、特定のステップで特定されたシンボルを確定する確定のステップとを備え、確定のステップで確定されたシンボルに対応するトラックを選択するようにしたことを特徴とする表示方法である。
【００１２】
また、この発明は、記録媒体に記録された複数のトラックから１を選択して再生する再生装置において、記録媒体に記録されたトラックの情報を取得するトラック情報取得手段と、シンボルをトラックの配列に対応付けた２次元的な配置で表示する表示モードを有する表示手段と、ユーザの操作に応じて、表示手段により表示されたシンボルのうち１を特定すると共に、特定されたシンボルを確定する操作手段と、操作手段で確定されたシンボルに対応するトラックを再生する再生手段とを備えることを特徴とする再生装置である。
【００１３】
上述したように、この発明は、シンボルをトラックの配列に対応付けた２次元的な配置で表示し、ユーザの操作に応じて、２次元的な配置で表示されたシンボルのうち１を特定し、特定されたシンボルを確定し、確定されたシンボルに対応するトラックを選択するようにしているため、多数のトラックの中から１のトラックを容易に選択することができる。
【００１４】
【発明の実施の形態】
以下、この発明の実施の一形態について説明する。先ず、この発明の実施の一形態の説明に先立って、この発明に適用可能なディスクシステムについて、下記の１０のセクションに従い説明する。
１．記録方式の概要
２．ディスクについて
３．信号フォーマット
４．記録再生装置の構成
５．次世代ＭＤ１および次世代ＭＤ２によるディスクの初期化処理について
６．音楽データの第１の管理方式について
７．音楽データの管理方式の第２の例
８．選曲方法について
【００１５】
１．記録方式の概要
この発明による記録再生装置では、記録媒体として光磁気ディスクが使用される。フォームファクタのような、ディスクの物理的属性は、いわゆるＭＤ（Ｍｉｎｉ−Ｄｉｓｃ）システムによって使用されるディスクと実質的に同じである。しかし、ディスク上に記録されたデータと、そのデータがどのようにディスク上に配置されているかについては、従来のＭＤと異なる。
【００１６】
より具体的には、この発明による装置は、オーディオデータのようなコンテンツデータを記録再生するために、ファイル管理システムとしてＦＡＴ（Ｆｉｌｅ  Ａｌｌｏｃａｔｉｏｎ  Ｔａｂｌｅ）システムを使用している。これによって、当該装置は、現行のパーソナルコンピュータに対して互換性を保証することができる。
【００１７】
ここでは、「ＦＡＴ」又は「ＦＡＴシステム」という用語は、前述したように、種々のＰＣベースのファイルシステムを指すのに総称的に用いられ、ＤＯＳ（Ｄｉｓｋ  Ｏｐｅｒａｔｉｎｇ  Ｓｙｓｔｅｍ）で用いられる特定のＦＡＴベースのファイルシステム、Ｗｉｎｄｏｗｓ９５／９８（それぞれ登録商標）で使用されるＶＦＡＴ（Ｖｉｒｔｕａｌ  ＦＡＴ）、Ｗｉｎｄｏｗｓ９８／ＭＥ／２０００（それぞれ登録商標）で用いられるＦＡＴ３２、及びＮＴＦＳ（ＮＴ  Ｆｉｌｅ  Ｓｙｓｔｅｍ（Ｎｅｗ  Ｔｅｃｈｎｏｌｏｇｙ  Ｆｉｌｅ  Ｓｙｓｔｅｍ  とも呼ばれる））のどれかを示すことを意図したものではない。ＮＴＦＳは、ＷｉｎｄｏｗｓＮＴ（登録商標）オペレーティングシステム、又は（オプションにより）Ｗｉｎｄｏｗｓ２０００で使用されるファイルシステムであり、ディスクに対する読み出し／書き込みの際に、ファイルの記録及び取り出しを行う。
【００１８】
また、この発明では、現行のＭＤシステムに対して、エラー訂正方式や変調方式を改善することにより、データの記録容量の増大を図るとともに、データの信頼性を高めるようにしている。更に、この発明では、コンテンツデータを暗号化するとともに、不正コピーを防止して、コンテンツデータの著作権の保護が図れるようにしている。
【００１９】
記録再生のフォーマットとしては、現行のＭＤシステムで用いられているディスクと全く同様のディスク（すなわち、物理媒体）を用いるようにした次世代ＭＤ１の仕様と、現行のＭＤシステムで用いられているディスクとフォームファクター及び外形は同様であるが、磁気超解像度（ＭＳＲ）技術を使うことにより、線記録方向の記録密度を上げて、記録容量をより増大した次世代ＭＤ２の仕様とがあり、これらが本願発明者により開発されている。
【００２０】
現行のＭＤシステムでは、カートリッジに収納された直径６４ｍｍの光磁気ディスクが記録媒体として用いられている。ディスクの厚みは１．２ｍｍであり、その中央に１１ｍｍの径のセンターホールが設けられている。カートリッジの形状は、長さ６８ｍｍ、幅７２ｍｍ、厚さ５ｍｍである。
【００２１】
次世代ＭＤ１の仕様でも次世代ＭＤ２の仕様でも、これらディスクの形状やカートリッジの形状は、全て同じである。リードイン領域の開始位置についても、次世代ＭＤ１の仕様および次世代ＭＤ２の仕様のディスクも、２９ｍｍから始まり、現行のＭＤシステムで使用されているディスクと同様である。
【００２２】
トラックピッチについては、次世代ＭＤ２では、１．２μｍから１．３μｍ（例えば１．２５μｍ）とすることが検討されている。これに対して、現行のＭＤシステムのディスクを流用する次世代ＭＤ１では、トラックピッチは１．６μｍとされている。ビット長は、次世代ＭＤ１が０．４４μｍ／ビットとされ、次世代ＭＤ２が０．１６μｍ／ビットとされる。冗長度は、次世代ＭＤ１および次世代ＭＤ２ともに、２０．５０％である。
【００２３】
次世代ＭＤ２の仕様のディスクでは、磁気超解像技術を使うことにより、線密度方向の記録容量を向上するようにしている。磁気超解像技術は、所定の温度になると、切断層が磁気的にニュートラルな状態になり、再生層に転写されていた磁壁が移動することで、微少なマークがビームスポットの中で大きく見えるようになることを利用したものである。
【００２４】
すなわち、次世代ＭＤ２の仕様のディスクでは、透明基板上に、少なくとも情報を記録する記録層となる磁性層と、切断層と、情報再生用の磁性層とが積層される。切断層は、交換結合力調整用層となる。所定の温度になると、切断層が磁気的にニュートラルな状態になり、記録層に転写されていた磁壁が再生用の磁性層に転写される。これにより、微少なマークがビームスポットの中に見えるようになる。なお、記録時には、レーザパルス磁界変調技術を使うことで、微少なマークを生成することができる。
【００２５】
また、次世代ＭＤ２の仕様のディスクでは、デトラックマージン、ランドからのクロストーク、ウォブル信号のクロストーク、フォーカスの漏れを改善するために、グルーブを従来のＭＤディスクより深くし、グルーブの傾斜を鋭くしている。次世代ＭＤ２の仕様のディスクでは、グルーブの深さは例えば１６０ｎｍから１８０ｎｍであり、グルーブの傾斜は例えば６０度から７０度であり、グルーブの幅は例えば６００ｎｍから７００ｎｍである。
【００２６】
また、光学的の仕様については、次世代ＭＤ１の仕様では、レーザ波長λが７８０ｎｍとされ、光学ヘッドの対物レンズの開口率ＮＡが０．４５とされている。次世代ＭＤ２の仕様も同様に、レーザ波長λが７８０ｎｍとされ、光学ヘッドの開口率ＮＡが０．４５とされている。
【００２７】
記録方式としては、次世代ＭＤ１の仕様も次世代ＭＤ２の仕様も、グルーブ記録方式が採用されている。つまり、グルーブ（ディスクの盤面上の溝）をトラックとして記録再生に用いるようにしている。
【００２８】
エラー訂正符号化方式としては、現行のＭＤシステムでは、ＡＣＩＲＣ（Ａｄｖａｎｃｅｄ  Ｃｒｏｓｓ  Ｉｎｔｅｒｌｅａｖｅ  Ｒｅｅｄ−Ｓｏｌｏｍｏｎ  Ｃｏｄｅ）  による畳み込み符号が用いられていたが、次世代ＭＤ１および次世代ＭＤ２の仕様では、ＲＳ−ＬＤＣ（Ｒｅｅｄ  Ｓｏｌｏｍｏｎ−Ｌｏｎｇ  Ｄｉｓｔａｎｃｅ  Ｃｏｄｅ）とＢＩＳ（Ｂｕｒｓｔ  Ｉｎｄｉｃａｔｏｒ  Ｓｕｂｃｏｄｅ）とを組み合わせたブロック完結型の符号が用いられている。ブロック完結型のエラー訂正符号を採用することにより、リンキングセクタが不要になる。ＬＤＣとＢＩＳとを組み合わせたエラー訂正方式では、バーストエラーが発生したときに、ＢＩＳによりエラーロケーションが検出できる。このエラーロケーションを使って、ＬＤＣコードにより、イレージャ訂正を行うことができる。
【００２９】
アドレス方式としては、シングルスパイラルによるグルーブを形成したうえで、このグルーブの両側に対してアドレス情報としてのウォブルを形成したウォブルドグルーブ方式が採用されている。このようなアドレス方式は、ＡＤＩＰ（Ａｄｄｒｅｓｓ  ｉｎ  Ｐｒｅｇｒｏｏｖｅ）と呼ばれている。現行のＭＤシステムと、次世代ＭＤ１および次世代ＭＤ２の仕様では、線密度が異なると共に、現行のＭＤシステムでは、エラー訂正符号として、ＡＣＩＲＣと呼ばれる畳み込み符号が用いられているのに対して、次世代ＭＤ１および次世代ＭＤ２の仕様では、ＬＤＣとＢＩＳとを組み合わせたブロック完結型の符号が用いられているため、冗長度が異なり、ＡＤＩＰとデータとの相対的な位置関係が変わっている。そこで、現行のＭＤシステムと同じ物理構造のディスクを流用する次世代ＭＤ１の仕様では、ＡＤＩＰ信号の扱いを、現行のＭＤシステムのときとは異なるようにしている。また、次世代ＭＤ２の仕様では、次世代ＭＤ２の仕様により合致するように、ＡＤＩＰ信号の仕様に変更を加えている。
【００３０】
変調方式については、現行のＭＤシステムでは、ＥＦＭ（８  ｔｏ  １４  Ｍｏｄｕｌａｔｉｏｎ）が用いられているのに対して、次世代ＭＤ１および次世代ＭＤ２の仕様では、ＲＬＬ（１，７）ＰＰ（ＲＬＬ；Ｒｕｎ  Ｌｅｎｇｔｈ  Ｌｉｍｉｔｅｄ  ，ＰＰ；Ｐａｒｉｔｙ  Ｐｒｅｓｅｒｖｅ／Ｐｒｏｈｉｂｉｔ  ｒｍｔｒ（ｒｅｐｅａｔｅｄ  ｍｉｎｉｍｕｍ  ｔｒａｎｓｉｔｉｏｎ  ｒｕｎｌｅｎｇｔｈ））（以下、１−７ｐｐ変調と称する）が採用されている。また、データの検出方式は、次世代ＭＤ１ではパーシャルレスポンスＰＲ（１，２，１）ＭＬを用い、次世代ＭＤ２ではパーシャルレスポンスＰＲ（１，−１）ＭＬを用いたビタビ復号方式とされている。
【００３１】
また、ディスク駆動方式はＣＬＶ（Ｃｏｎｓｔａｎｔ  Ｌｉｎｅａｒ  Ｖｅｒｏｃｉｔｙ）またはＺＣＡＶ（Ｚｏｎｅ  Ｃｏｎｓｔａｎｔ  Ａｎｇｕｌａｒ  Ｖｅｒｏｃｉｔｙ）で、その標準線速度は、次世代ＭＤ１の仕様では、２．４ｍ／秒とされ、次世代ＭＤ２の仕様では、１．９８ｍ／秒とされる。なお、現行のＭＤシステムの仕様では、６０分ディスクで１．２ｍ／秒、７４分ディスクで１．４ｍ／秒とされている。
【００３２】
現行のＭＤシステムで用いられるディスクをそのまま流用する次世代ＭＤ１の仕様では、ディスク１枚当たりのデータ総記録容量は約３００Ｍバイト（８０分ディスクを用いた場合）になる。変調方式がＥＦＭから１−７ｐｐ変調とされることで、ウィンドウマージンが０．５から０．６６６となり、この点で、１．３３倍の高密度化が実現できる。また、エラー訂正方式として、ＡＣＩＲＣ方式からＢＩＳとＬＤＣを組み合わせたものとしたことで、データ効率が上がり、この点で、１．４８倍の高密度化が実現できる。総合的には、全く同様のディスクを使って、現行のＭＤシステムに比べて、約２倍のデータ容量が実現されたことになる。
【００３３】
磁気超解像度を利用した次世代ＭＤ２の仕様のディスクでは、更に線密度方向の高密度化が図られ、データ総記録容量は、約１Ｇバイトになる。
【００３４】
データレートは標準線速度にて、次世代ＭＤ１では４．４Ｍビット／秒であり、次世代ＭＤ２では、９．８Ｍビット／秒である。
【００３５】
２．ディスクについて
図１は、次世代ＭＤ１のディスクの構成を示すものである。次世代ＭＤ１のディスクは、現行のＭＤシステムのディスクをそのまま流用したものである。すなわち、ディスクは、透明のポリカーボネート基板上に、誘電体膜と、磁性膜と、誘電体膜と、反射膜とを積層して構成される。更に、その上に、保護膜が積層される。
【００３６】
次世代ＭＤ１のディスクでは、図１に示すように、ディスクの内周（ディスクのレコーダブル領域の最も内側の周（「最も内側」は、ディスクの中心から放射状に延びる方向において最も内側を示す）のリードイン領域に、Ｐ−ＴＯＣ（プリマスタードＴＯＣ（Ｔａｂｌｅ  Ｏｆ  Ｃｏｎｔｅｎｔｓ））領域が設けられる。ここは、物理的な構造としては、プリマスタード領域となる。すなわち、エンボスピットにより、コントロール情報等が、例えば、Ｐ−ＴＯＣ情報として記録されている。
【００３７】
Ｐ−ＴＯＣ領域が設けられるリードイン領域の外周（ディスクの中心から放射状に延びる方向において外側の周）は、レコーダブル領域（光磁気記録可能な領域）とされ、記録トラックの案内溝としてグルーブが形成された記録再生可能領域となっている。このレコーダブル領域の内周には、Ｕ−ＴＯＣ（ユーザＴＯＣ）が設けられる。
【００３８】
Ｕ−ＴＯＣは、現行のＭＤシステムでディスクの管理情報を記録するために用いられているＵ−ＴＯＣと同様の構成のものである。Ｕ−ＴＯＣは、現行のＭＤシステムにおいて、トラック（オーディオトラック／データトラック）の曲順、記録、消去などに応じて書き換えられる管理情報であり、各トラック（トラックを構成するパーツ）について、開始位置、終了位置や、モードを管理するものである。
【００３９】
Ｕ−ＴＯＣの外周には、アラートトラックが設けられる。このトラックには、ディスクが現行のＭＤシステムにロードされた場合に、ＭＤプレーヤによって起動（出力）される警告音が記録される。この警告音は、そのディスクが次世代ＭＤ１方式で使用され、現行のシステムでは再生できないことを示すものである。レコーダブル領域の残りの部分（詳しくは、図２に示されている）は、リードアウト領域まで、放射状に延びる方向に広がっている。
【００４０】
図２は、図１に示す次世代ＭＤ１の仕様のディスクのレコーダブル領域の構成を示すものである。図２に示すように、レコーダブル領域の先頭（内周側）には、Ｕ−ＴＯＣおよびアラートトラックが設けられる。Ｕ−ＴＯＣおよびアラートトラックが含まれる領域は、現行のＭＤシステムのプレーヤでも再生できるように、ＥＦＭでデータが変調されて記録される。ＥＦＭ変調でデータが変調されて記録される領域の外周に、次世代ＭＤ１方式の１−７ｐｐ変調でデータが変調されて記録される領域が設けられる。ＥＦＭでデータが変調されて記録される領域と、１−７ｐｐ変調でデータが変調されて記録される領域との間は所定の距離の間だけ離間されており、「ガードバンド」が設けられている。このようなガードバンドが設けられるため、現行のＭＤプレーヤに次世代ＭＤ１の仕様のディスクが装着されて、不具合が発生されることが防止される。
【００４１】
１−７ｐｐ変調でデータが変調されて記録される領域の先頭（内周側）には、ＤＤＴ（Ｄｉｓｃ  Ｄｅｓｃｒｉｐｔｉｏｎ  Ｔａｂｌｅ）領域と、リザーブトラックが設けられる。ＤＤＴ領域には、物理的に欠陥のある領域に対する交替処理をするために設けられる。ＤＤＴ領域には、さらに、ディスク毎に固有の識別コードが記録される。以下、このディスク毎に固有の識別コードをＵＩＤ（ユニークＩＤ）と称する。次世代ＭＤ１の場合、ＵＩＤは、例えば所定に発生された乱数に基づき生成され、例えばディスクの初期化の際に記録される（詳細は後述する）。ＵＩＤを用いることで、ディスクの記録内容に対するセキュリティ管理を行うことができる。リザーブトラックは、コンテンツの保護を図るための情報が格納される。
【００４２】
更に、１−７ｐｐ変調でデータが変調されて記録される領域には、ＦＡＴ（Ｆｉｌｅ  Ａｌｌｏｃａｔｉｏｎ  Ｔａｂｌｅ）領域が設けられる。ＦＡＴ領域は、ＦＡＴシステムでデータを管理するための領域である。ＦＡＴシステムは、汎用のパーソナルコンピュータで使用されているＦＡＴシステムに準拠したデータ管理を行うものである。ＦＡＴシステムは、ルートにあるファイルやディレクトリのエントリポイントを示すディレクトリと、ＦＡＴクラスタの連結情報が記述されたＦＡＴテーブルとを用いて、ＦＡＴチェーンによりファイル管理を行うものである。なお、ＦＡＴの用語は、前述したように、ＰＣオペレーティングシステムで利用される、様々な異なるファイル管理方法を示すように総括的に用いられている。
【００４３】
次世代ＭＤ１の仕様のディスクにおいては、Ｕ−ＴＯＣ領域には、アラートトラックの開始位置の情報と、１−７ｐｐ変調でデータが変調されて記録される領域の開始位置の情報が記録される。
【００４４】
現行のＭＤシステムのプレーヤに、次世代ＭＤ１のディスクが装着されると、Ｕ−ＴＯＣ領域が読み取られ、Ｕ−ＴＯＣの情報から、アラートトラックの位置が分かり、アラートトラックがアクセスされ、アラートトラックの再生が開始される。アラートトラックには、このディスクが次世代ＭＤ１方式で使用され、現行のＭＤシステムのプレーヤでは再生できないことを示す警告音が記録されている。この警告音から、このディスクが現行のＭＤシステムのプレーヤでは使用できないことが知らされる。
【００４５】
なお、警告音としては、「このプレーヤでは使用できません」というような言語による警告とすることができる。勿論、単純なビープ音、トーン、又はその他の警告信号とするようにしても良い。
【００４６】
次世代ＭＤ１に準拠したプレーヤに、次世代ＭＤ１のディスクが装着されると、Ｕ−ＴＯＣ領域が読み取られ、Ｕ−ＴＯＣの情報から、１−７ｐｐ変調でデータが記録された領域の開始位置が分かり、ＤＤＴ、リザーブトラック、ＦＡＴ領域が読み取られる。１−７ｐｐ変調のデータの領域では、Ｕ−ＴＯＣを使わずに、ＦＡＴシステムを使ってデータの管理が行われる。
【００４７】
図３は、次世代ＭＤ２のディスクを示すものである。ディスクは、透明のポリカーボネート基板上に、誘電体膜と、磁性膜と、誘電体膜と、反射膜とを積層して構成される。更に、その上に、保護膜が積層される。
【００４８】
次世代ＭＤ２のディスクでは、図３Ａに示すように、ディスクの内周（ディスクの中心から放射状に延びる方向において内側の周）のリードイン領域には、ＡＤＩＰ信号により、コントロール情報が記録されている。次世代ＭＤ２のディスクには、リードイン領域にはエンボスピットによるＰ−ＴＯＣは設けられておらず、その代わりに、ＡＤＩＰ信号によるコントロール情報が用いられる。リードイン領域の外周からレコーダブル領域が開始され、記録トラックの案内溝としてグルーブが形成された記録再生可能領域となっている。このレコーダブル領域には、１−７ｐｐ変調で、データが変調されて記録される。
【００４９】
次世代ＭＤ２の仕様のディスクでは、図３Ｂに示すように、磁性膜として、情報を記録する記録層となる磁性層１０１と、切断層１０２と、情報再生用の磁性層１０３とが積層されたものが用いられる。切断層１０２は、交換結合力調整用層となる。所定の温度になると、切断層１０２が磁気的にニュートラルな状態になり、記録層１０１に転写されていた磁壁が再生用の磁性層１０３に転写される。これにより、記録層１０１では微少なマークが再生用の磁性層１０３のビームスポットの中に拡大されて見えるようになる。
【００５０】
図示しないが、次世代ＭＤ２の使用のディスクでは、記録可能領域の内周側の、コンシューマ向けの記録再生装置で再生可能であるが記録不可であるような領域に、上述したＵＩＤが予め記録される。次世代ＭＤ２のディスクの場合、ＵＩＤは、例えばＤＶＤ（Ｄｉｇｉｔａｌ  Ｖｅｒｓａｔｉｌｅ  Ｄｉｓｃ）で用いられているＢＣＡ（Ｂｕｒｓｔ  Ｃｔｔｉｎｇ  Ａｒｅａ）の技術と同様の技術により、ディスクの製造時に予め記録される。ディスクの製造時にＵＩＤが生成され記録されるため、ＵＩＤの管理が可能となり、上述の次世代ＭＤ１による、ディスクの初期化時などに乱数に基づきＵＩＤを生成する場合に比べ、セキュリティを向上できる。ＵＩＤのフォーマットなど詳細については、後述する。
【００５１】
なお、繁雑さを避けるために、次世代ＭＤ２においてＵＩＤが予め記録されるこの領域を、以降、ＢＣＡと呼ぶことにする。
【００５２】
次世代ＭＤ１であるか次世代ＭＤ２であるかは、例えば、リードインの情報から判断できる。すなわち、リードインにエンボスピットによるＰ−ＴＯＣが検出されれば、現行のＭＤまたは次世代ＭＤ１のディスクであると判断できる。リードインにＡＤＩＰ信号によるコントロール情報が検出され、エンボスピットによるＰ−ＴＯＣが検出されなければ、次世代ＭＤ２であると判断できる。上述したＢＣＡにＵＩＤが記録されているか否かで判断することも可能である。なお、次世代ＭＤ１と次世代ＭＤ２との判別は、このような方法に限定されるものではない。オントラックのときとオフトラックのときとのトラッキングエラー信号の位相から判別することも可能である。勿論、ディスク識別用の検出孔等を設けるようにしても良い。
【００５３】
図４は、次世代ＭＤ２の仕様のディスクのレコーダブル領域の構成を示すものである。図４に示すように、レコーダブル領域では全て１−７ｐｐ変調でデータが変調されて記録され、１−７ｐｐ変調でデータが変調されて記録される領域の先頭（内周側）には、ＤＤＴ領域と、リザーブトラックが設けられる。ＤＤＴ領域は、物理的に欠陥のある領域に対する交替領域を管理するための交替領域管理データを記録するために設けられる。
【００５４】
具体的には、ＤＤＴ領域は、物理的に欠陥のある上記領域に替わるレコーダブル領域を含む置き換え領域を管理する管理テーブルを記録する。この管理テーブルは、欠陥があると判定された論理クラスタを記録し、その欠陥のある論理クラスタに替わるものとして割り当てられた置き換え領域内の論理クラスタ（１つ又は複数）も記録する。さらに、ＤＤＴ領域には、上述したＵＩＤが記録される。リザーブトラックは、コンテンツの保護を図るための情報が格納される。
【００５５】
更に、１−７ｐｐ変調でデータが変調されて記録される領域には、ＦＡＴ領域が設けられる。ＦＡＴ領域は、ＦＡＴシステムでデータを管理するための領域である。ＦＡＴシステムは、汎用のパーソナルコンピュータで使用されているＦＡＴシステムに準拠したデータ管理を行うものである。
【００５６】
次世代ＭＤ２のディスクにおいては、Ｕ−ＴＯＣ領域は設けられていない。次世代ＭＤ２に準拠したプレーヤに、次世代ＭＤ２のディスクが装着されると、所定の位置にあるＤＤＴ、リザーブトラック、ＦＡＴ領域が読み取られ、ＦＡＴシステムを使ってデータの管理が行われる。
【００５７】
次世代ＭＤ１および次世代ＭＤ２のディスクでは、時間のかかる初期化作業は不要とされる。すなわち、次世代ＭＤ１および次世代ＭＤ２の仕様のディスクでは、ＤＤＴやリザーブトラック、ＦＡＴテーブル等の最低限のテーブルの作成以外に、初期化作業は不要で、未使用のディスクからレコーダブル領域の記録再生を直接行うことが可能である。
【００５８】
なお、次世代ＭＤ２のディスクは、上述のように、ディスクの製造時にＵＩＤが生成され記録されるため、より強力にセキュリティ管理を行うことが可能である一方、現行のＭＤシステムで用いられるディスクに比べて膜の積層数が多く、より高価である。そこで、ディスクの記録可能領域およびリードイン、リードアウト領域は、次世代ＭＤ１と共通とし、ＵＩＤのみ、ＤＶＤと同様のＢＣＡを用いて次世代ＭＤ２と同様にしてディスクの製造時に記録するようにしたディスクシステム（次世代ＭＤ１．５と称する）が提案されている。
【００５９】
なお、以下では、次世代ＭＤ１．５に関して、特に必要となる場合を除き、説明を省略する。すなわち、次世代ＭＤ１．５は、ＵＩＤに関しては次世代ＭＤ２に準じ、オーディオデータの記録再生などに関しては次世代ＭＤ１に準ずるものとする。
【００６０】
ＵＩＤについて、より詳細に説明する。上述したように、次世代ＭＤ２のディスクにおいて、ＵＩＤは、ＤＶＤで用いられているＢＣＡと称される技術と同様の技術により、ディスクの製造時に予め記録される。図５は、このＵＩＤの一例のフォーマットを概略的に示す。ＵＩＤの全体をＵＩＤレコードブロックと称する。
【００６１】
ＵＩＤブロックにおいて、先頭から２バイト分がＵＩＤコードのフィールドとされる。ＵＩＤコードは、２バイトすなわち１６ビットのうち上位４ビットがディスク判別用とされる。例えば、この４ビットが〔００００〕で当該ディスクが次世代ＭＤ２のディスクであることが示され、〔０００１〕で当該ディスクが次世代ＭＤ１．５のディスクであることが示される。ＵＩＤコードの上位４ビットの他の値は、例えば将来の拡張のために予約される。ＵＩＤコードの下位１２ビットは、アプリケーションＩＤとされ、４０９６種類のサービスに対応することができる。
【００６２】
ＵＩＤコードの次に１バイトのバージョンナンバのフィールドが配され、その次に、１バイトでデータ長のフィールドが配される。このデータ長により、データ長の次に配されるＵＩＤレコードデータのフィールドのデータ長が示される。ＵＩＤレコードデータのフィールドは、ＵＩＤ全体のデータ長が１８８バイトを超えない範囲で、４ｍ（ｍ＝０、１、２、・・・）バイト分、配される。ＵＩＤレコードデータのフィールドに、所定の方法で生成したユニークなＩＤを格納することができ、これにより、ディスク個体が識別可能とされる。
【００６３】
なお、次世代ＭＤ１のディスクでは、このＵＩＤレコードデータのフィールドに、乱数に基づき生成されたＩＤが記録される。
【００６４】
ＵＩＤレコードブロックは、最大１８８バイトまでのデータ長で、複数個、作ることができる。
【００６５】
３．信号フォーマット
次に、次世代ＭＤ１および次世代ＭＤ２のシステムの信号フォーマットについて説明する。現行のＭＤシステムでは、エラー訂正方式として、畳み込み符号であるＡＣＩＲＣが用いられており、サブコードブロックのデータ量に対応する２３５２バイトからなるセクタを記録再生のアクセス単位としている。畳み込み符号の場合には、エラー訂正符号化系列が複数のセクタに跨るため、データを書き換える際には、隣接するセクタ間に、リンキングセクタを用意する必要がある。アドレス方式としては、シングルスパイラルによるグルーブを形成したうえで、このグルーブの両側に対してアドレス情報としてのウォブルを形成したウォブルドグルーブ方式であるＡＤＩＰが使われている。現行のＭＤシステムでは、２３５２バイトからなるセクタをアクセスするのに最適なように、ＡＤＩＰ信号が配列されている。
【００６６】
これに対して、次世代ＭＤ１および次世代ＭＤ２のシステムの仕様では、ＬＤＣとＢＩＳとを組み合わせたブロック完結型の符号が用いられ、６４Ｋバイトを記録再生のアクセス単位としている。ブロック完結型の符号では、リンキングセクタは不要である。そこで、現行のＭＤシステムのディスクを流用する次世代ＭＤ１のシステムの仕様では、ＡＤＩＰ信号の扱いを、新たな記録方式に対応するように、変更するようにしている。また、次世代ＭＤ２のシステムの仕様では、次世代ＭＤ２の仕様により合致するように、ＡＤＩＰ信号の仕様に変更を加えている。
【００６７】
図６、図７、および図８は、次世代ＭＤ１および次世代ＭＤ２のシステムで使用されるエラー訂正方式を説明するためのものである。次世代ＭＤ１および次世代ＭＤ２のシステムでは、図６に示すようなＬＤＣによるエラー訂正符号化方式と、図７および図８に示すようなＢＩＳ方式とが組み合わされている。
【００６８】
図６は、ＬＤＣによるエラー訂正符号化の符号化ブロックの構成を示すものである。図６に示すように、各エラー訂正符号化セクタのデータに対して、４バイトのエラー検出コードＥＤＣが付加され、水平方向に３０４バイト、垂直方向に２１６バイトのエラー訂正符号化ブロックに、データが二次元配列される。各エラー訂正符号化セクタは、２Ｋバイトのデータからなる。図６に示すように、水平方向に３０４バイト、垂直方向に２１６バイトからなるエラー訂正符号化ブロックには、２Ｋバイトからなるエラー訂正符号化セクタが３２セクタ分配置される。このように、水平方向に３０４バイト、垂直方向に２１６バイトに二次元配列された３２個のエラー訂正符号化セクタのエラー訂正符号化ブロックのデータに対して、垂直方向に、３２ビットのエラー訂正用のリード・ソロモンコードのパリティが付加される。
【００６９】
図７および図８は、ＢＩＳの構成を示すものである。図７に示すように、３８バイトのデータ毎に、１バイトのＢＩＳが挿入され、（３８×４＝１５２バイト）のデータと、３バイトのＢＩＳデータと、２．５バイトのフレームシンクとの合計１５７．５バイトが１フレームとされる。
【００７０】
図８に示すように、このように構成されるフレームを４９６フレーム集めて、ＢＩＳのブロックが構成される。ＢＩＳデータ（３×４９６＝１４８８バイト）には、５７６バイトのユーザコントロールデータと、１４４バイトのアドレスユニットナンバと、７６８バイトのエラー訂正コードが含められる。
【００７１】
このように、ＢＩＳデータには、１４８８バイトのデータに対して７６８バイトのエラー訂正コードが付加されているので、強力にエラー訂正を行うことができる。このＢＩＳコードを３８バイト毎に埋め込んでおくことにより、バーストエラーが発生したときに、エラーロケーションが検出できる。このエラーロケーションを使って、ＬＤＣコードにより、イレージャ訂正を行うことができる。
【００７２】
ＡＤＩＰ信号は、図９に示すように、シングルスパイラルのグルーブの両側に対してウォブルを形成することで記録される。すなわち、ＡＤＩＰ信号は、ＦＭ変調されたアドレスデータを有し、ディスク素材にグルーブのウォブルとして形成されることにより記録される。
【００７３】
図１０は、次世代ＭＤ１の場合のＡＤＩＰ信号のセクタフォーマットを示すものである。
【００７４】
図１０に示すように、ＡＤＩＰ信号の１セクタ（ＡＤＩＰセクタ）は、４ビットのシンクと、８ビットのＡＤＩＰクラスタナンバの上位ビットと、８ビットのＡＤＩＰクラスタナンバの下位ビットと、８ビットのＡＤＩＰセクタナンバと、１４ビットのエラー検出コードＣＲＣとからなる。
【００７５】
シンクは、ＡＤＩＰセクタの先頭を検出するための所定パターンの信号である。従来のＭＤシステムでは、畳み込み符号を使っているため、リンキングセクタが必要になる。リンキング用のセクタナンバは、負の値を持ったセクタナンバで、「ＦＣｈ」、「ＦＤｈ」、「ＦＥｈ」、「ＦＦｈ」（ｈは１６進数を示す）のセクタナンバのものである。次世代ＭＤ１では、現行のＭＤシステムのディスクを流用するため、このＡＤＩＰセクタのフォーマットは、現行のＭＤシステムのものと同様である。
【００７６】
次世代ＭＤ１のシステムでは、図１１に示すように、ＡＤＩＰセクタナンバ「ＦＣｈ」から「ＦＦｈ」および「０Ｆｈ」から「１Ｆｈ」までの３６セクタで、ＡＤＩＰクラスタが構成される。そして、図１０に示すように、１つのＡＤＩＰクラスタに、２つのレコーディングブロック（６４Ｋバイト）のデータを配置するようにしている。
【００７７】
図１２は、次世代ＭＤ２の場合のＡＤＩＰセクタの構成を示すものである。次世代ＭＤ２の仕様では、ＡＤＩＰセクタが１６セクタで、ＡＤＩＰセクタが構成される。したがって、ＡＤＩＰのセクタナンバは、４ビットで表現できる。また、次世代ＭＤでは、ブロック完結のエラー訂正符号が用いられているため、リンキングセクタは不要である。
【００７８】
次世代ＭＤ２のＡＤＩＰセクタは、図１２に示すように、４ビットのシンクと、４ビットのＡＤＩＰクラスタナンバの上位ビットと、８ビットのＡＤＩＰクラスタナンバの中位ビットと、４ビットのＡＤＩＰクラスタナンバの下位ビットと、４ビットのＡＤＩＰセクタナンバと、１８ビットのエラー訂正用のパリティとからなる。
【００７９】
シンクは、ＡＤＩＰセクタの先頭を検出するための所定パターンの信号である。ＡＤＩＰクラスタナンバとしては、上位４ビット、中位８ビット、下位４ビットの１６ビット分が記述される。１６個のＡＤＩＰセクタでＡＤＩＰクラスタが構成されるため、ＡＤＩＰセクタのセクタナンバは４ビットとされている。現行のＭＤシステムでは１４ビットのエラー検出コードであるが、１８ビットのエラー訂正用のパリティとなっている。そして、次世代ＭＤ２の仕様では、図１３に示すように、１つのＡＤＩＰクラスタに、１レコーディングブロック（６４Ｋバイト）のデータが配置される。
【００８０】
図１４は、次世代ＭＤ１の場合のＡＤＩＰクラスタとＢＩＳのフレームとの関係を示すものである。
【００８１】
図１１に示したように、次世代ＭＤ１の仕様では、ＡＤＩＰセクタ「ＦＣ」〜「ＦＦ」およびＡＤＩＰセクタ「００」〜「１Ｆ」の３６セクタで、１つのＡＤＩＰクラスタが構成される。記録再生の単位となる１レコーディングブロック（６４Ｋバイト）のデータは、１つのＡＤＩＰクラスタに、２つ分配置される。
【００８２】
図１４に示すように、１つのＡＤＩＰセクタは、前半の１８セクタと、後半の１８セクタとに分けられる。
【００８３】
記録再生の単位となる１レコーディングブロックのデータは、４９６フレームからなるＢＩＳのブロックに配置される。このＢＩＳのブロックに相当する４９６フレーム分のデータのフレーム（フレーム「１０」からフレーム「５０５」）の前に、１０フレーム分のプリアンブル（フレーム「０」からフレーム「９」）が付加され、また、このデータのフレームの後に、６フレーム分のポストアンブルのフレーム（フレーム５０６からフレーム５１１）が付加され、合計、５１２フレーム分のデータが、ＡＤＩＰセクタ「ＦＣｈ」からＡＤＩＰセクタ「０Ｄｈ」のＡＤＩＰクラスタの前半に配置されるとともに、ＡＤＩＰセクタ「０Ｅｈ」からＡＤＩＰセクタ「１Ｆｈ」のＡＤＩＰクラスタの後半に配置される。データフレームの前のプリアンブルのフレームと、データの後ろのポストアンブルのフレームは、隣接するレコーディングブロックとのリンキング時にデータを保護するのに用いられる。プリアンブルは、データ用ＰＬＬの引き込み、信号振幅制御、信号オフセット制御などにも用いられる。
【００８４】
レコーディングブロックのデータを記録再生する際の物理アドレスは、ＡＤＩＰクラスタと、そのクラスタの前半か後半かにより指定される。記録再生時に物理アドレスが指定されると、ＡＤＩＰ信号からＡＤＩＰセクタが読み取られ、ＡＤＩＰセクタの再生信号から、ＡＤＩＰクラスタナンバとＡＤＩＰセクタナンバが読み取られ、ＡＤＩＰクラスタの前半と後半とが判別される。
【００８５】
図１５は、次世代ＭＤ２の仕様の場合のＡＤＩＰクラスタとＢＩＳのフレームとの関係を示すものである。図１３に示したように、次世代ＭＤ２の仕様では、ＡＤＩＰセクタが１６セクタで、１つのＡＤＩＰクラスタが構成される。１つのＡＤＩＰクラスタに、１レコーディングブロック（６４Ｋバイト）のデータが配置される。
【００８６】
図１５に示すように、記録再生の単位となる１レコーディングブロック（６４Ｋバイト）のデータは、４９６フレームからなるＢＩＳのブロックに配置される。このＢＩＳのブロックに相当する４９６フレーム分のデータのフレーム（フレーム「１０」からフレーム「５０５」）の前に、１０フレーム分のプリアンブル（フレーム「０」からフレーム「９」）が付加され、また、このデータのフレームの後に、６フレーム分のポストアンブルのフレーム（フレーム５０６からフレーム５１１）が付加され、合計、５１２フレーム分のデータが、ＡＤＩＰセクタ「０ｈ」からＡＤＩＰセクタ「Ｆｈ」からなるＡＤＩＰクラスタに配置される。
【００８７】
データフレームの前のプリアンブルのフレームと、データの後ろのポストアンブルのフレームは、隣接するレコーディングブロックとのリンキング時にデータを保護するのに用いられる。プリアンブルは、データ用ＰＬＬの引き込み、信号振幅制御、信号オフセット制御などにも用いられる。
【００８８】
レコーディングブロックのデータを記録再生する際の物理アドレスは、ＡＤＩＰクラスタで指定される。記録再生時に物理アドレスが指定されると、ＡＤＩＰ信号からＡＤＩＰセクタが読み取られ、ＡＤＩＰセクタの再生信号から、ＡＤＩＰクラスタナンバが読み取られる。
【００８９】
ところで、このようなディスクでは、記録再生を開始するときに、レーザパワーの制御等を行うために、各種のコントロール情報が必要である。次世代ＭＤ１の仕様のディスクでは、図１に示したように、リードイン領域にＰ−ＴＯＣが設けられており、このＰ−ＴＯＣから、各種のコントロール情報が取得される。
【００９０】
次世代ＭＤ２の仕様のディスクには、エンボスピットによるＰ−ＴＯＣは設けられず、コントロール情報がリードイン領域のＡＤＩＰ信号により記録される。また、次世代ＭＤ２の仕様のディスクでは、磁気超解像度の技術が使われるため、レーザのパワーコントロールが重要である。次世代ＭＤ２の仕様のディスクでは、リードイン領域とリードアウト領域には、パワーコントロール調整用のキャリブレーション領域が設けられる。
【００９１】
すなわち、図１６は、次世代ＭＤ２の仕様のディスクのリードインおよびリードアウトの構成を示すものである。図１６に示すように、ディスクのリードインおよびリードアウト領域には、レーザビームのパワーコントロール領域として、パワーキャリブレーション領域が設けられる。
【００９２】
また、リードイン領域には、ＡＤＩＰによるコントロール情報を記録したコントロール領域が設けられる。ＡＤＩＰによるコントロール情報の記録とは、ＡＤＩＰクラスタナンバの下位ビットとして割り当てられている領域を使って、ディスクのコントロール情報を記述するものである。
【００９３】
すなわち、ＡＤＩＰクラスタナンバは、レコーダブル領域の開始位置から始まっており、リードイン領域では負の値になっている。図１６に示すように、次世代ＭＤ２のＡＤＩＰセクタは、４ビットのシンクと、８ビットのＡＤＩＰクラスタナンバの上位ビットと、８ビットのコントロールデータ（ＡＤＩＰクラスタナンバの下位ビット）と、４ビットのＡＤＩＰセクタナンバと、１８ビットのエラー訂正用のパリティとからなる。ＡＤＩＰクラスタナンバの下位ビットとして割り当てられている８ビットに、図１６に示すように、ディスクタイプや、磁気位相、強度、読み出しパワー等のコントロール情報が記述される。
【００９４】
なお、ＡＤＩＰクラスタの上位ビットは、そのまま残されているので、現在位置は、ある程度の精度で知ることができる。また、ＡＤＩＰセクタ「０」と、ＡＤＩＰセクタ「８」は、ＡＤＩＰクラスタナンバの下位８ビットを残しておくことにより、所定間隔で、ＡＤＩＰクラスタを正確に知ることができる。
【００９５】
ＡＤＩＰ信号によるコントロール情報の記録については、本願出願人が先に提案した特願２００１−１２３５３５号の明細書中に詳細に記載してある。
【００９６】
４．記録再生装置の構成
次に、図１７、図１８により、次世代ＭＤ１および次世代ＭＤ２システムで記録／再生に用いられるディスクに対応するディスクドライブ装置（記録再生装置）の構成を説明する。
【００９７】
図１７には、ディスクドライブ装置１が、例えばパーソナルコンピュータ１００と接続可能なものとして示している。
【００９８】
ディスクドライブ装置１は、メディアドライブ部２、メモリ転送コントローラ３、クラスタバッファメモリ４、補助メモリ５、ＵＳＢ（Ｕｎｉｖｅｒｓａｌ  Ｓｅｒｉａｌ  Ｂｕｓ）インターフェース６，８、ＵＳＢハブ７、システムコントローラ９、オーディオ処理部１０を備えている。
【００９９】
メディアドライブ部２は、装填されたディスク９０に対する記録／再生を行う。ディスク９０は、次世代ＭＤ１のディスク、次世代ＭＤ２のディスク、または現行のＭＤのディスクである。メディアドライブ部２の内部構成は図１８で後述する。
【０１００】
メモリ転送コントローラ３は、メディアドライブ部２からの再生データやメディアドライブ部２に供給する記録データについての受け渡しの制御を行う。
【０１０１】
クラスタバッファメモリ４は、メモリ転送コントローラ３の制御に基づいて、メディアドライブ部２によってディスク９０のデータトラックからレコーディングブロック単位で読み出されたデータのバッファリングを行う。
【０１０２】
補助メモリ５は、メモリ転送コントローラ３の制御に基づいて、メディアドライブ部２によってディスク９０から読み出された各種管理情報や特殊情報を記憶する。
【０１０３】
システムコントローラ９は、ディスクドライブ装置１内の全体の制御を行うと共に、接続されたパーソナルコンピュータ１００との間の通信制御を行う。
【０１０４】
すなわち、システムコントローラ９は、ＵＳＢインターフェース８、ＵＳＢハブ７を介して接続されたパーソナルコンピュータ１００との間で通信可能とされ、書込要求、読出要求等のコマンドの受信やステイタス情報その他の必要情報の送信などを行う。
【０１０５】
システムコントローラ９は、例えばディスク９０がメディアドライブ部２に装填されることに応じて、ディスク９０からの管理情報等の読出をメディアドライブ部２に指示し、メモリ転送コントローラ３によって読み出した管理情報等を補助メモリ５に格納させる。
【０１０６】
パーソナルコンピュータ１００からのあるＦＡＴセクタの読出要求があった場合は、システムコントローラ９はメディアドライブ部２に、そのＦＡＴセクタを含むレコーディングブロックの読み出しを実行させる。読み出されたレコーディングブロックのデータはメモリ転送コントローラ３によってクラスタバッファメモリ４に書き込まれる。
【０１０７】
システムコントローラ９はクラスタバッファメモリ４に書き込まれているレコーディングブロックのデータから、要求されたＦＡＴセクタのデータを読み出させ、ＵＳＢインターフェース６、ＵＳＢハブ７を介してパーソナルコンピュータ１００に送信させる制御を行う。
【０１０８】
パーソナルコンピュータ１００からのあるＦＡＴセクタの書き込み要求があった場合は、システムコントローラ９はメディアドライブ部２に、まずそのＦＡＴセクタを含むレコーディングブロックの読み出しを実行させる。読み出されたレコーディングブロックはメモリ転送コントローラ３によってクラスタバッファメモリ４に書き込まれる。
【０１０９】
システムコントローラ９は、パーソナルコンピュータ１００からのＦＡＴセクタのデータ（記録データ）をＵＳＢインターフェース６を介してメモリ転送コントローラ３に供給させ、クラスタバッファメモリ４上で、該当するＦＡＴセクタのデータの書き換えを実行させる。
【０１１０】
システムコントローラ９は、メモリ転送コントローラ３に指示して、必要なＦＡＴセクタが書き換えられた状態でクラスタバッファメモリ４に記憶されているレコーディングブロックのデータを、記録データとしてメディアドライブ部２に転送させる。メディアドライブ部２では、そのレコーディングブロックの記録データを変調してディスク９０に書き込む。
【０１１１】
システムコントローラ９に対して、操作部５０が接続される。操作部５０は、各種のキーやボタン、スイッチなどの操作子により構成され、ユーザによる操作子の操作に応じた制御信号を出力する。この制御信号がシステムコントローラ９に供給され、制御信号に基づくシステムコントローラ９の制御により、ディスクドライブ装置１の動作が制御される。
【０１１２】
操作部５０に設けられる操作子としては、他にも、回転させることにより回転角に応じた制御信号を出力するようにされたロータリエンコーダや、回転操作および押圧操作を組み合わせて制御信号を出力するジョグダイヤル、上下方向への操作と押圧操作とでそれぞれ対応する制御信号を出力する集中コントローラなどを用いることができる。
【０１１３】
ディスクドライブ装置１に対して、例えばＬＣＤ（Ｌｉｑｕｉｄ  Ｃｒｙｓｔａｌ  Ｄｉｓｐｌａｙ）からなるディスプレイ５１が設けられる。ディスプレイ５１は、例えばドット単位の表示を組み合わせてテキストデータや簡単なアイコンなどの表示が可能とされる。ディスプレイ５１は、システムコントローラ９から供給される表示制御信号に基づき、このディスクドライブ装置１の状態に関する情報や、ユーザに対するメッセージ、トラックの選択情報などを表示する。
【０１１４】
オーディオ処理部１０は、入力系として、例えばライン入力回路／マイクロホン入力回路等のアナログ音声信号入力部、Ａ／Ｄ変換器や、ディジタルオーディオデータ入力部を備える。また、オーディオ処理部１０はＡＴＲＡＣ圧縮エンコーダ／デコーダや、圧縮データのバッファメモリを備える。更に、オーディオ処理部１０は、出力系として、ディジタルオーディオデータ出力部や、Ｄ／Ａ変換器およびライン出力回路／ヘッドホン出力回路等のアナログ音声信号出力部を備える。
【０１１５】
ディスク９０が現行のＭＤのディスクの場合には、ディスク９０に対してオーディオトラックが記録されるときに、オーディオ処理部１０にディジタルオーディオデータ（またはアナログ音声信号）が入力される。入力されたリニアＰＣＭディジタルオーディオデータ、あるいはアナログ音声信号で入力されＡ／Ｄ変換器で変換されて得られたリニアＰＣＭオーディオデータは、ＡＴＲＡＣ圧縮エンコードされ、バッファメモリに蓄積される。そして所定タイミング（ＡＤＩＰクラスタ相当のデータ単位）でバッファメモリから読み出されてメディアドライブ部２に転送される。メディアドライブ部２では、転送されてくる圧縮データを、ＥＦＭで変調してディスク９０にオーディオトラックとして書き込みを行う。
【０１１６】
ディスク９０が現行のＭＤシステムのディスクの場合には、ディスク９０のオーディオトラックが再生されるときには、メディアドライブ部２は再生データをＡＴＲＡＣ圧縮データ状態に復調して、メモリ転送コントローラ３を介してオーディオ処理部１０に転送する。オーディオ処理部１０は、ＡＴＲＡＣ圧縮デコードを行ってリニアＰＣＭオーディオデータとし、ディジタルオーディオデータ出力部から出力する。あるいはＤ／Ａ変換器によりアナログ音声信号としてライン出力／ヘッドホン出力を行う。
【０１１７】
なお、パーソナルコンピュータ１００との接続はＵＳＢでなく、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４等の他の外部インターフェースが用いられても良い。
【０１１８】
記録再生データ管理は、ＦＡＴシステムを使って行われ、レコーディングブロックとＦＡＴセクタとの変換については、本願出願人が先に提案した特願２００１−２８９３８０号の明細書中に詳細に記載してある。
【０１１９】
続いて、データトラックおよびオーディオトラックの両方について記録再生を行う機能を有するものとしてのメディアドライブ部２の構成を図１８を参照して説明する。
【０１２０】
図１８は、メディアドライブ部２の構成を示すものである。メディアドライブ部２は、現行のＭＤシステムのディスクと、次世代ＭＤ１のディスクと、次世代ＭＤ２のディスクとが装填されるターンテーブルを有しており、メディアドライブ部２では、ターンテーブルに装填されたディスク９０をスピンドルモータ２９によってＣＬＶ方式で回転駆動させる。このディスク９０に対しては記録／再生時に光学ヘッド１９によってレーザ光が照射される。
【０１２１】
光学ヘッド１９は、記録時には記録トラックをキュリー温度まで加熱するための高レベルのレーザ出力を行い、また再生時には磁気カー効果により反射光からデータを検出するための比較的低レベルのレーザ出力を行う。このため、光学ヘッド１９には、ここでは詳しい図示は省略するがレーザ出力手段としてのレーザダイオード、偏光ビームスプリッタや対物レンズ等からなる光学系、および反射光を検出するためのディテクタが搭載されている。光学ヘッド１９に備えられる対物レンズとしては、例えば２軸機構によってディスク半径方向およびディスクに接離する方向に変位可能に保持されている。
【０１２２】
また、ディスク９０を挟んで光学ヘッド１９と対向する位置には磁気ヘッド１８が配置されている。磁気ヘッド１８は記録データによって変調された磁界をディスク９０に印加する動作を行う。また、図示しないが光学ヘッド１９全体および磁気ヘッド１８をディスク半径方向に移動させためスレッドモータおよびスレッド機構が備えられている。
【０１２３】
光学ヘッド１９および磁気ヘッド１８は、次世代ＭＤ２のディスクの場合には、パルス駆動磁界変調を行うことで、微少なマークを形成することができる。現行ＭＤのディスクや、次世代ＭＤ１のディスクの場合には、ＤＣ発光の磁界変調方式とされる。
【０１２４】
このメディアドライブ部２では、光学ヘッド１９、磁気ヘッド１８による記録再生ヘッド系、スピンドルモータ２９によるディスク回転駆動系のほかに、記録処理系、再生処理系、サーボ系等が設けられる。
【０１２５】
なお、ディスク９０としては、現行のＭＤ仕様のディスクと、次世代ＭＤ１の仕様のディスクと、次世代ＭＤ２の仕様のディスクとが装着される可能性がある。これらのディスクにより、線速度が異なっている。スピンドルモータ２９は、これら線速度の異なる複数種類のディスクに対応する回転速度で回転させることが可能である。ターンテーブルに装填されたディスク９０は、現行のＭＤ仕様のディスクの線速度と、次世代ＭＤ１の仕様のディスクの線速度と、次世代ＭＤ２の仕様のディスクの線速度とに対応して回転される。
【０１２６】
記録処理系では、現行のＭＤシステムのディスクの場合に、オーディオトラックの記録時に、ＡＣＩＲＣでエラー訂正符号化を行い、ＥＦＭで変調してデータを記録する部位と、次世代ＭＤ１または次世代ＭＤ２の場合に、ＢＩＳとＬＤＣを組み合わせた方式でエラー訂正符号化を行い、１−７ｐｐ変調で変調して記録する部位が設けられる。
【０１２７】
再生処理系では、現行のＭＤシステムのディスクの再生時に、ＥＦＭの復調とＡＣＩＲＣによるエラー訂正処理と、次世代ＭＤ１または次世代ＭＤ２システムのディスクの再生時に、パーシャルレスポンスおよびビタビ復号を用いたデータ検出に基づく１−７復調と、ＢＩＳとＬＤＣによるエラー訂正処理とを行う部位が設けられる。
【０１２８】
また、現行のＭＤシステムや次世代ＭＤ１のＡＤＩＰ信号よるアドレスをデコードする部位と、次世代ＭＤ２のＡＤＩＰ信号をデコードする部位とが設けられる。
【０１２９】
光学ヘッド１９のディスク９０に対するレーザ照射によりその反射光として検出された情報（フォトディテクタによりレーザ反射光を検出して得られる光電流）は、ＲＦアンプ２１に供給される。
【０１３０】
ＲＦアンプ２１では入力された検出情報に対して電流−電圧変換、増幅、マトリクス演算等を行い、再生情報としての再生ＲＦ信号、トラッキングエラー信号ＴＥ、フォーカスエラー信号ＦＥ、グルーブ情報（ディスク９０にトラックのウォブリングにより記録されているＡＤＩＰ情報）等を抽出する。
【０１３１】
現行のＭＤシステムのディスクを再生するときには、ＲＦアンプで得られた再生ＲＦ信号は、ＥＦＭ復調部２４およびＡＣＩＲＣデコーダ２５で処理される。すなわち再生ＲＦ信号は、ＥＦＭ復調部２４で２値化されてＥＦＭ信号列とされた後、ＥＦＭ復調され、更にＡＣＩＲＣデコーダ２５で誤り訂正およびデインターリーブ処理される。すなわちこの時点でＡＴＲＡＣ圧縮データの状態となる。
【０１３２】
そして現行のＭＤシステムのディスクの再生時には、セレクタ２６はＢ接点側が選択されており、その復調されたＡＴＲＡＣ圧縮データがディスク９０からの再生データとして出力される。
【０１３３】
一方、次世代ＭＤ１または次世代ＭＤ２のディスクを再生するときには、ＲＦアンプで得られた再生ＲＦ信号は、ＲＬＬ（１−７）ＰＰ復調部２２およびＲＳ−ＬＤＣデコーダ２３で処理される。すなわち再生ＲＦ信号は、ＲＬＬ（１−７）ＰＰ復調部２２において、ＰＲ（１，２，１）ＭＬまたはＰＲ（１，−１）ＭＬおよびビタビ復号を用いたデータ検出によりＲＬＬ（１−７）符号列としての再生データを得、このＲＬＬ（１−７）符号列に対してＲＬＬ（１−７）復調処理が行われる。そして更にＲＳ−ＬＤＣデコーダ２３で誤り訂正およびデインターリーブ処理される。
【０１３４】
そして次世代ＭＤ１または次世代ＭＤ２のディスクの再生時には、セレクタ２６はＡ接点側が選択されており、その復調されたデータがディスク９０からの再生データとして出力される。
【０１３５】
ＲＦアンプ２１から出力されるトラッキングエラー信号ＴＥ、フォーカスエラー信号ＦＥはサーボ回路２７に供給され、グルーブ情報はＡＤＩＰ復調部３０に供給される。
【０１３６】
ＡＤＩＰ復調部３０は、グルーブ情報に対してバンドパスフィルタにより帯域制限してウォブル成分を抽出した後、ＦＭ復調、バイフェーズ復調を行ってＡＤＩＰ信号を復調する。復調されたＡＤＩＰ信号は、アドレスデコーダ３２およびアドレスデコーダ３３に供給される。
【０１３７】
現行のＭＤシステムのディスクまたは次世代ＭＤ１のシステムのディスクでは、図１０に示したように、ＡＤＩＰセクタナンバが８ビットになっている。これに対して、次世代ＭＤ２のシステムのディスクでは、図１２に示したように、ＡＤＩＰセクタナンバが４ビットになっている。アドレスデコーダ３２は、現行のＭＤまたは次世代ＭＤ１のＡＤＩＰアドレスをデコードする。アドレスデコーダ３３は、次世代ＭＤ２のアドレスをデコードする。
【０１３８】
アドレスデコーダ３２および３３でデコードされたＡＤＩＰアドレスは、ドライブコントローラ３１に供給される。ドライブコントローラ３１ではＡＤＩＰアドレスに基づいて、所要の制御処理を実行する。またグルーブ情報はスピンドルサーボ制御のためにサーボ回路２７に供給される。
【０１３９】
サーボ回路２７は、例えばグルーブ情報に対して再生クロック（デコード時のＰＬＬ系クロック）との位相誤差を積分して得られる誤差信号に基づき、ＣＬＶまたはＣＡＶサーボ制御のためのスピンドルエラー信号を生成する。
【０１４０】
またサーボ回路２７は、スピンドルエラー信号や、ＲＦアンプ２１から供給されたトラッキングエラー信号、フォーカスエラー信号、あるいはドライブコントローラ３１からのトラックジャンプ指令、アクセス指令等に基づいて各種サーボ制御信号（トラッキング制御信号、フォーカス制御信号、スレッド制御信号、スピンドル制御信号等）を生成し、モータドライバ２８に対して出力する。すなわち上記サーボエラー信号や指令に対して位相補償処理、ゲイン処理、目標値設定処理等の必要処理を行って各種サーボ制御信号を生成する。
【０１４１】
モータドライバ２８では、サーボ回路２７から供給されたサーボ制御信号に基づいて所要のサーボドライブ信号を生成する。ここでのサーボドライブ信号としては、二軸機構を駆動する二軸ドライブ信号（フォーカス方向、トラッキング方向の２種）、スレッド機構を駆動するスレッドモータ駆動信号、スピンドルモータ２９を駆動するスピンドルモータ駆動信号となる。このようなサーボドライブ信号により、ディスク９０に対するフォーカス制御、トラッキング制御、およびスピンドルモータ２９に対するＣＬＶまたはＣＡＶ制御が行われることになる。
【０１４２】
現行のＭＤシステムのディスクでオーディオデータを記録するときには、セレクタ１６がＢ接点に接続され、したがってＡＣＩＲＣエンコーダ１４およびＥＦＭ変調部１５が機能することになる。この場合、オーディオ処理部１０からの圧縮データはＡＣＩＲＣエンコーダ１４でインターリーブおよびエラー訂正コード付加が行われた後、ＥＦＭ変調部１５でＥＦＭ変調が行われる。
【０１４３】
そしてＥＦＭ変調データがセレクタ１６を介して磁気ヘッドドライバ１７に供給され、磁気ヘッド１８がディスク９０に対してＥＦＭ変調データに基づいた磁界印加を行うことでオーディオトラックの記録が行われる。
【０１４４】
次世代ＭＤ１または次世代ＭＤ２のディスクにデータを記録するときには、セレクタ１６がＡ接点に接続され、したがってＲＳ−ＬＤＣエンコーダ１２およびＲＬＬ（１−７）ＰＰ変調部１３が機能することになる。この場合、メモリ転送コントローラ３からの高密度データはＲＳ−ＬＤＣエンコーダ１２でインターリーブおよびＲＳ−ＬＤＣ方式のエラー訂正コード付加が行われた後、ＲＬＬ（１−７）ＰＰ変調部１３でＲＬＬ（１−７）変調が行われる。
【０１４５】
そしてＲＬＬ（１−７）符号列としての記録データがセレクタ１６を介して磁気ヘッドドライバ１７に供給され、磁気ヘッド１８がディスク９０に対して変調データに基づいた磁界印加を行うことでデータトラックの記録が行われる。
【０１４６】
レーザドライバ／ＡＰＣ２０は、上記のような再生時および記録時においてレーザダイオードにレーザ発光動作を実行させるが、いわゆるＡＰＣ（Ａｕｔｏｍａｔｉｃ  Ｌａｚｅｒ  Ｐｏｗｅｒ  Ｃｏｎｔｒｏｌ）動作も行う。
【０１４７】
すなわち、図示していないが、光学ヘッド１９内にはレーザパワーモニタ用のディテクタが設けられ、そのモニタ信号がレーザドライバ／ＡＰＣ２０にフィードバックされる。レーザドライバ／ＡＰＣ２０は、モニタ信号として得られる現在のレーザパワーを、設定されているレーザパワーと比較して、その誤差分をレーザ駆動信号に反映させることで、レーザダイオードから出力されるレーザパワーが、設定値で安定するように制御している。
【０１４８】
なお、レーザパワーとしては、再生レーザパワー、記録レーザパワーとしての値がドライブコントローラ３１によって、レーザドライバ／ＡＰＣ２０内部のレジスタにセットされる。
【０１４９】
ドライブコントローラ３１は、システムコントローラ９からの指示に基づいて、以上の各動作（アクセス、各種サーボ、データ書込、データ読出の各動作）が実行されるように制御を行う。
【０１５０】
なお、図１８において一点鎖線で囲ったＡ部、Ｂ部は、例えば１チップの回路部として構成できる。
【０１５１】
５．次世代ＭＤ１および次世代ＭＤ２によるディスクの初期化処理について
次世代ＭＤ１および次世代ＭＤ２によるディスクには、上述したように、ＦＡＴ外にＵＩＤ（ユニークＩＤ）が記録され、この記録されたＵＩＤを用いてセキュリティ管理がなされる。次世代ＭＤ１および次世代ＭＤ２に対応したディスクは、原則的には、ディスク上の所定位置にＵＩＤが予め記録されて出荷される。次世代ＭＤ１に対応したディスクでは、ＵＩＤが例えばリードイン領域に予め記録される。この場合、ＵＩＤが予め記録される位置は、リードイン領域に限られず、例えば、ディスクの初期化後にＵＩＤが書き込まれる位置が固定的であれば、その位置に予め記録しておくこともできる。次世代ＭＤ２および次世代ＭＤ１．５に対応したディスクでは、上述したＢＣＡにＵＩＤが予め記録される。
【０１５２】
一方、次世代ＭＤ１によるディスクは、現行のＭＤシステムによるディスクを用いることが可能とされている。そのため、ＵＩＤが記録されずに既に出回っている、多数の現行のＭＤシステムによるディスクが次世代ＭＤ１のディスクとして使用されることになる。
【０１５３】
そこで、このような、ＵＩＤが記録されずに出回ってしまった現行のＭＤシステムによるディスクに対しては、規格にて守られたエリアを設け、当該ディスクの初期化時にそのエリアにディスクドライブ装置１において乱数信号を記録し、これを当該ディスクのＵＩＤとして用いる。また、ユーザがこのＵＩＤが記録されたエリアにアクセスすることは、規格により禁止する。なお、ＵＩＤは、乱数信号に限定されない。例えば、メーカーコード、機器コード、機器シリアル番号および乱数を組み合わせて、ＵＩＤとして用いることができる。さらに、メーカーコード、機器コードおよび機器シリアル番号の何れかまたは複数と、乱数とを組み合わせて、ＵＩＤとして用いることもできる。
【０１５４】
図１９は、次世代ＭＤ１によるディスクの一例の初期化処理を示すフローチャートである。最初のステップＳ１００で、ディスク上の所定位置がアクセスされ、ＵＩＤが記録されているかどうかが確認される。ＵＩＤが記録されていると判断されれば、そのＵＩＤが読み出され、例えば補助メモリ５に一時的に記憶される。
【０１５５】
ステップＳ１００でアクセスされる位置は、例えばリードイン領域のような、次世代ＭＤ１システムによるフォーマットのＦＡＴ領域外である。当該ディスク９０が、例えば過去に初期化されたことがあるディスクのように、既にＤＤＴが設けられていれば、その領域をアクセスするようにしてもよい。なお、このステップＳ１００の処理は、省略することが可能である。
【０１５６】
次に、ステップＳ１０１で、Ｕ−ＴＯＣがＥＦＭ変調により記録される。このとき、Ｕ−ＴＯＣに対して、アラートトラックと、上述の図２におけるＤＤＴ以降のトラック、すなわち１−７ｐｐ変調でデータが変調されて記録される領域とを確保する情報が書き込まれる。次のステップＳ１０２で、ステップＳ１０１でＵ−ＴＯＣにより確保された領域に対して、アラートトラックがＥＦＭ変調により記録される。そして、ステップＳ１０３で、ＤＤＴが１−７ｐｐ変調により記録される。
【０１５７】
ステップＳ１０４では、ＵＩＤがＦＡＴ外の領域、例えばＤＤＴ内に記録される。上述のステップＳ１００で、ＵＩＤがディスク上の所定位置から読み出され補助メモリ５に記憶されている場合、そのＵＩＤが記録される。また、上述のステップＳ１００で、ディスク上の所定位置にＵＩＤが記録されていないと判断されていた場合、または、上述のステップＳ１００が省略された場合には、乱数信号に基づきＵＩＤが生成され、この生成されたＵＩＤが記録される。ＵＩＤの生成は、例えばシステムコントローラ９によりなされ、生成されたＵＩＤがメモリ転送コントローラ３を介してメディアドライブ２に供給され、ディスク９０に記録される。
【０１５８】
次に、ステップＳ１０５で、ＦＡＴなどのデータが、１−７ｐｐ変調でデータが変調されて記録される領域に対して記録される。すなわち、ＵＩＤの記録される領域は、ＦＡＴ外の領域になる。また、上述したように、次世代ＭＤ１においては、ＦＡＴで管理されるべきレコーダブル領域の初期化は、必ずしも必要ではない。
【０１５９】
図２０は、次世代ＭＤ２および次世代ＭＤ１．５によるディスクの一例の初期化処理を示すフローチャートである。最初のステップＳ１１０でディスク上のＢＣＡに相当する領域がアクセスされ、ＵＩＤが記録されているかどうかが確認される。ＵＩＤが記録されていると判断されれば、そのＵＩＤが読み出され、例えば補助メモリ５に一時的に記憶される。なお、ＵＩＤの記録位置は、フォーマット上で固定的に決められているので、ディスク上の他の管理情報を参照することなく、直接的にアクセス可能とされる。これは、上述の図１９を用いて説明した処理にも適用することができる。
【０１６０】
次のステップＳ１１１で、ＤＤＴが１−７ｐｐ変調で記録される。次に、ステップＳ１１２で、ＵＩＤがＦＡＴ外の領域、例えばＤＤＴに記録される。このとき記録されるＵＩＤは、上述のステップＳ１１０でディスク上の所定位置から読み出され補助メモリ５に記憶されたＵＩＤが用いられる。ここで、上述のステップＳ１１０で、ディスク上の所定位置にＵＩＤが記録されていないと判断されていた場合には、乱数信号に基づきＵＩＤが生成され、この生成されたＵＩＤが記録される。ＵＩＤの生成は、例えばシステムコントローラ９によりなされ、生成されたＵＩＤがメモリ転送コントローラ３を介してメディアドライブ２に供給され、ディスク９０に記録される。
【０１６１】
そして、ステップＳ１１３で、ＦＡＴなどが記録される。すなわち、ＵＩＤの記録される領域は、ＦＡＴ外の領域になる。また、上述したように、次世代ＭＤ２においては、ＦＡＴで管理されるべきレコーダブル領域の初期化は、行われない。
【０１６２】
６．音楽データの第１の管理方式について
前述したように、この発明が適用された次世代ＭＤ１および次世代ＭＤ２のシステムでは、ＦＡＴシステムでデータが管理される。また、記録されるオーディオデータは、所望の圧縮方式で圧縮され、著作者の権利の保護のために、暗号化される。オーディオデータの圧縮方式としては、例えば、ＡＴＲＡＣ３、ＡＴＲＡＣ５等を用いることが考えられている。勿論、ＭＰ３（ＭＰＥＧ１  Ａｕｄｉｏ  Ｌａｙｅｒ−３  ）やＡＡＣ（ＭＰＥＧ２  Ａｄｖａｎｃｅｄ  Ａｕｄｉｏ  Ｃｏｄｉｎｇ  ）等、それ以外の圧縮方式を用いることも可能である。また、オーディオデータばかりでなく、静止画データや動画データを扱うことも可能である。勿論、ＦＡＴシステムを使っているので、汎用のデータの記録再生を行うこともできる。更に、コンピュータが読み取り可能でかつ実行可能な命令をディスク上に符号化することもでき、従って、次世代ＭＤ１または次世代ＭＤ２は、実行可能ファイルを含むこともできることになる。
【０１６３】
このような次世代ＭＤ１および次世代ＭＤ２の仕様のディスクにオーディオデータを記録再生するときの管理方式について説明する。
【０１６４】
次世代ＭＤ１のシステムや次世代ＭＤ２のシステムでは、長時間で高音質の音楽データが再生できるようにしたことから、１枚のディスクで管理される楽曲の数も、膨大になっている。また、ＦＡＴシステムを使って管理することで、コンピュータとの親和性が図られている。このことは、本願発明者の認識によれば、使い勝手の向上が図れるというメリットがある反面、音楽データが違法にコピーされてしまい、著作権者の保護が図られなくなる可能性がある。この発明が適用された管理システムでは、このような点に配慮が配られている。
【０１６５】
図２１は、オーディオデータの管理方式の第１の例である。図２１に示すように、第１の例における管理方式では、ディスク上には、トラックインデックスファイルと、オーディオデータファイルとが生成される。トラックインデックスファイルおよびオーディオデータファイルは、ＦＡＴシステムで管理されるファイルである。
【０１６６】
オーディオデータファイルは、図２２に示すように、複数の音楽データが１つのファイルとして納められたものであり、ＦＡＴシステムでオーディオデータファイルを見ると、巨大なファイルに見える。オーディオデータファイルは、その内部がパーツとして区切られ、オーディオデータは、パーツの集合として扱われる。
【０１６７】
トラックインデックスファイルは、オーディオデータファイルに納められた音楽データを管理するための各種の情報が記述されたファイルである。トラックインデックスファイルは、図２３に示すように、プレイオーダテーブルと、プログラムドプレイオーダテーブルと、グループインフォメーションテーブルと、トラックインフォメーションテーブルと、パーツインフォメーションテーブルと、ネームテーブルとからなる。
【０１６８】
プレイオーダテーブルは、デフォルトで定義された再生順序を示すテーブルである。プレイオーダテーブルは、図２４に示すように、各トラックナンバ（曲番）についてのトラックインフォメーションテーブルのトラックデスクリプタ（図２７）へのリンク先を示す情報ＴＩＮＦ１、ＴＩＮＦ２、…が格納されている。トラックナンバは、例えば「１」から始まる連続したナンバである。
【０１６９】
プログラムドプレイオーダテーブルは、再生手順を各ユーザが定義したテーブルである。プログラムドプレイオーダテーブルには、図２５に示すように、各トラックナンバについてのトラックデスクリプタへのリンク先の情報トラック情報ＰＩＮＦ１、ＰＩＮＦ２、…が記述されている。
【０１７０】
グループインフォメーションテーブルには、図２６に示すように、グループに関する情報が記述されている。グループは、連続したトラックナンバを持つ１つ以上のトラックの集合、または連続したプログラムドトラックナンバを持つ１つ以上のトラックの集合である。グループインフォメーションテーブルは、図２６Ａに示すように、各グループのグループデスクリプタで記述されている。グループデスクリプタには、図２６Ｂに示すように、そのグループが開始されるトラックナンバと、終了トラックのナンバと、グループネームと、フラグが記述される。
【０１７１】
トラックインフォメーションテーブルは、図２７に示すように、各曲に関する情報が記述される。トラックインフォメーションテーブルは、図２７Ａに示すように、各トラック毎（各曲毎）のトラックデスクリプタからなる。各トラックデスクリプタには、図２７Ｂに示すように、符号化方式、著作権管理情報、コンテンツの復号鍵情報、その楽曲が開始するエントリとなるパーツナンバへのポインタ情報、アーチストネーム、タイトルネーム、元曲順情報、録音時間情報等が記述されている。アーチストネーム、タイトルネームは、ネームそのものではなく、ネームテーブルへのポインタ情報が記述されている。符号化方式は、コーデックの方式を示すもので、復号情報となる。
【０１７２】
パーツインフォメーションテーブルは、図２８に示すように、パーツナンバから実際の楽曲の位置をアクセスするポインタが記述されている。パーツインフォメーションテーブルは、図２８Ａに示すように、各パーツ毎のパーツデスクリプタからなる。パーツとは、１トラック（楽曲）の全部、または１トラックを分割した各パーツである。図２８Ｂは、パーツインフォメーションテーブル内のパーツデスクリプタのエントリを示している。各パーツデスクリプタは、図２８Ｂに示すように、オーディオデータファイル上のそのパーツの先頭のアドレスと、そのパーツの終了のアドレスと、そのパーツに続くパーツへのリンク先とが記述される。
【０１７３】
なお、パーツナンバのポインタ情報、ネームテーブルのポインタ情報、オーディオファイルの位置を示すポインタ情報として用いるアドレスとしては、ファイルのバイトオフセット、パーツデスクリプタナンバ、ＦＡＴのクラスタナンバ、記録媒体として用いられるディスクの物理アドレス等を用いることができる。ファイルのバイトオフセットは、この発明において実施されうるオフセット方法のうちの特定の実施態様である。ここで、パーツポインタ情報は、オーディオファイルの開始からのオフセット値であり、その値は所定の単位（例えば、バイト、ビット、ｎビットのブロック）で表される。
【０１７４】
ネームテーブルは、ネームの実体となる文字を表すためのテーブルである。ネームテーブルは、図２９Ａに示すように、複数のネームスロットからなる。各ネームスロットは、ネームを示す各ポインタからリンクされて呼び出される。ネームを呼び出すポインタは、トラックインフォメーションテーブルのアーチストネームやタイトルネーム、グループインフォメーションテーブルのグループネーム等がある。また、各ネームスロットは、複数から呼び出されることが可能である。各ネームスロットは、図２９Ｂに示すように、文字情報であるネームデータと、この文字情報の属性であるネームタイプと、リンク先とからなる。１つのネームスロットで収まらないような長いネームは、複数のネームスロットに分割して記述することが可能である。そして、１つのネームスロットで収まらない場合には、それに続くネームが記述されたネームスロットへのリンク先が記述される。
【０１７５】
この発明が適用されたシステムにおけるオーディオデータの管理方式の第１の例では、図３０に示すように、プレイオーダテーブル（図２４）により、再生するトラックナンバが指定されると、トラックインフォメーションテーブルのリンク先のトラックデスクリプタ（図２７）が読み出され、このトラックデスクリプタから、符号化方式、著作権管理情報、コンテンツの復号鍵情報、その楽曲が開始するパーツナンバへのポインタ情報、アーチストネームおよびタイトルネームのポインタ、元曲順情報、録音時間情報等が読み出される。
【０１７６】
トラックインフォメーションテーブルから読み出されたパーツナンバの情報から、パーツインフォメーションテーブル（図２８）にリンクされ、このパーツインフォメーションテーブルから、そのトラック（楽曲）の開始位置に対応するパーツの位置のオーディオデータファイルがアクセスされる。オーディオデータファイルのパーツインフォメーションテーブルで指定される位置のパーツのデータがアクセスされたら、その位置から、オーディオデータの再生が開始される。このとき、トラックインフォメーションテーブルのトラックデスクリプタから読み出された符号化方式に基づいて復号化が行われる。オーディオデータが暗号化されている場合には、トラックデスクリプタから読み出された鍵情報が使われる。
【０１７７】
そのパーツに続くパーツがある場合には、そのパーツのリンク先がパーツデスクリプタが記述されており、このリンク先にしたがって、パーツデスクリプタが順に読み出される。このパーツデスクリプタのリンク先を辿っていき、オーディオディデータファイル上で、そのパーツデスクリプタで指定される位置にあるパーツのオーディオデータを再生していくことで、所望のトラック（楽曲）のオーディオディオデータが再生できる。
【０１７８】
また、トラックインフォメーションテーブルから読み出されたアーチストネームやタイトルネームのポインタにより指し示される位置（ネームポインタ情報）にあるネームテーブルのネームスロット（図２９）が呼び出され、その位置にあるネームスロットから、ネームデータが読み出される。ネームポインタ情報は、例えば、ネームスロットナンバ、ＦＡＴシステムにおけるクラスタナンバ、または記録媒体の物理アドレスであってもよい。
【０１７９】
なお、前述したように、ネームテーブルのネームスロットは、複数参照が可能である。例えば、同一のアーチストの楽曲を複数記録するような場合がある。この場合、図３１に示すように、複数のトラックインフォメーションテーブルからアーチストネームとして同一のネームテーブルが参照される。図３１の例では、トラックデスクリプタ「１」とトラックデスクリプタ「２」とトラックデスクリプタ「４」は、全て同一のアーチスト「ＤＥＦ  ＢＡＮＤ」の楽曲であり、アーチストネームとして同一のネームスロットを参照している。また、トラックデスクリプタ「３」とトラックデスクリプタ「５」とトラックデスクリプタ「６」は、全て同位置のアーチスト「ＧＨＱ  ＧＩＲＬＳ」の楽曲であり、アーチストネームとして同一のネームスロットを参照している。このように、ネームテーブルのネームスロットを、複数のポインタから参照可能にしておくと、ネームテーブルの容量を節約できる。
【０１８０】
これとともに、例えば、同一のアーチストネームの情報を表示するのに、こののネームテーブルへのリンクが利用できる。例えば、アーチスト名が「ＤＥＦ  ＢＡＮＤ」の楽曲の一覧を表示したいような場合には、「ＤＥＦ  ＢＡＮＤ」のネームスロットのアドレスを参照しているトラックデスクリプタが辿られる。この例では、「ＤＥＦ  ＢＡＮＤ」のネームスロットのアドレスを参照しているトラックデスクリプタを辿ることにより、トラックデスクリプタ「１」とトラックデスクリプタ「２」とトラックデスクリプタ「４」の情報が得られる。これにより、このディスクに納められている楽曲の中で、アーチスト名が「ＤＥＦ  ＢＡＮＤ」の楽曲の一覧が表示できる。なお、ネームテーブルは複数参照が可能とされるため、ネームテーブルからトラックインフォメーションテーブルを逆に辿るリンクは設けられていない。
【０１８１】
新たにオーディオデータを記録する場合には、ＦＡＴテーブルにより、所望の数のレコーディングブロック以上、例えば、４つのレコーディングブロック以上連続した未使用領域が用意される。所望のレコーディングブロック以上連続した領域を確保するのは、なるべく連続した領域にオーディオデータを記録した方がアクセスに無駄がないためである。
【０１８２】
オーディオデータを記録するための領域が用意されたら、新しいトラックデスクリプターがトラックインフォメーションテーブル上に１つ割り当てられ、このオーディオディデータを暗号化するためのコンテンツの鍵が生成される。そして、入力されたオーディオデータが暗号化され、用意された未使用領域に、暗号化されたオーディオデータが記録される。このオーディオデータが記録された領域がＦＡＴのファイルシステム上でオーディオデータファイルの最後尾に連結される。
【０１８３】
新たなオーディオデータがオーディオデータファイルに連結されたのに伴い、この連結された位置の情報が作成され、新たに確保されたパーツデスクリプションに、新たに作成されたオーディオデータの位置情報が記録される。そして、新たに確保されたトラックデスクリプターに、鍵情報やパーツナンバが記述される。更に、必要に応じて、ネームスロットにアーチストネームやタイトルネーム等が記述され、トラックデスクリプターに、そのネームスロットにアーチストネームやタイトルネームにリンクするポインタが記述される。そして、プレイオーダーテーブルに、そのトラックデスクリプターのナンバが登録される。また著作権管理情報の更新がなされる。
【０１８４】
オーディオデータを再生する場合には、プレイオーダーテーブルから、指定されたトラックナンバに対応する情報が求められ、再生すべきトラックのトラックデスクリプタが取得される。
【０１８５】
トラックインフォメーションテーブルのそのトラックデスクリプタから、鍵情報が取得され、また、エントリのデータが格納されている領域を示すパーツデスクリプションが取得される。そのパーツデスクリプションから、所望のオーディオデータが格納されているパーツの先頭のオーディオデータファイル上の位置が取得され、その位置に格納されているデータが取り出される。そして、その位置から再生されるデータに対して、取得された鍵情報を用いて暗号が解読され、オーディオデータの再生がなされる。パーツデスクリプションにリンクがある場合には、指定されてパーツにリンクされて、同様の手順が繰り返される。
【０１８６】
プレイオーダテーブル上で、トラックナンバ「ｎ」であった楽曲を、トラックナンバ「ｎ＋ｍ」に変更する場合には、プレイオーダテーブル内のトラック情報ＴＩＮＦｎから、そのトラックの情報が記述されているトラックデスクリプターＤｎが得られる。トラック情報ＴＩＮＦｎ＋１からＴＩＮＦｎ＋ｍの値（トラックデスクリプターナンバ）が全て１つ前に移動される。そして、トラック情報ＴＩＮＦｎ＋ｍに、トラックデスクリプターＤｎのナンバが格納される。
【０１８７】
プレイオーダテーブルで、トラックナンバ「ｎ」であった楽曲を削除する場合には、プレイオーダテーブル内のトラック情報ＴＩＮＦｎから、そのトラック  の情報が記述されているトラックデスクリプタＤｎが取得される。プレイオーダテーブル内のトラック情報のエントリ、ＴＩＮＦｎ＋１から後の有効なトラックデスクリプタナンバが全て１つ前に移動される。更に、トラック「ｎ」は、消されるべきものなので、トラック「ｎ」の後の全てのトラック情報のエントリが、プレイオーダテーブル内で１つ前に移動される。前記トラックの消去に伴って取得されたトラックデスクリプタＤｎから、トラックインフォメーションテーブルで、そのトラックに対応する符号化方式、復号鍵が取得れるとともに、先頭の音楽データが格納されている領域を示すパーツデスクリプタＰｎのナンバが取得される。パーツデスクリプタＰｎによって指定された範囲のオーディオブロックが、ＦＡＴのファイルシステム上で、オーディオデータファイルから切り離される。更に、このトラックインフォメーションテーブルのそのトラックのトラックデスクリプタＤｎが消去される。そして、パーツデスクリプタがパーツインフォメーションテーブルから消去され、ファイルシステムでそのパーツデスクリプションが解放される。
【０１８８】
例えば、図３２Ａにおいて、パーツＡ、パーツＢ、パーツＣはそれまで連結しており、その中から、パーツＢを削除するものとする。パーツＡパーツＢは同じオーディオブロックを（かつ同じＦＡＴクラスタを）共有しており、ＦＡＴチェーンが連続しているとする。パーツＣは、オーディオデータファイルの中ではパーツＢの直後に位置しているが、ＦＡＴテーブルを調べると、実際には離れた位置にあるとする。
【０１８９】
この例の場合には、図３２Ｂに示すように、パーツＢを削除したときに、実際にＦＡＴチェーンから外す（空き領域に戻す）ことができるのは、現行のパーツとクラスタを共有していない、２つのＦＡＴクラスタである。すなわち、オーディオデータファイルとしては４オーディオブロックに短縮される。パーツＣおよびそれ以降にあるパーツに記録されているオーディオブロックのナンバは、これに伴い全て４だけ小さくなる。
【０１９０】
なお、削除は、１トラック全てではなく、そのトラックの一部に対して行うことができる。トラックの一部が削除された場合には、残りのトラックの情報は、トラックインフォメーションテーブルでそのパーツデスクリプタＰｎから取得されたそのトラックに対応する符号化方式、復号鍵を使って復号することが可能である。
【０１９１】
プレイオーダテーブル上のトラックｎとトラックｎ＋１とを連結する場合には、プレイオーダテーブル内のトラック情報ＴＩＮＦｎから、そのトラックの情報が記述されているトラックデスクリプタナンバＤｎが取得される。また、プレイオーダテーブル内のトラック情報ＴＩＮＦｎ＋１から、そのトラックの情報が記述されているトラックデスクリプタナンバＤｍが取得される。プレイオーダテーブル内のＴＩＮＦｎ＋１から後の有効なＴＩＮＦの値（トラックデスクリプタナンバ）が全て１つ前のＴＩＮＦに移動される。プログラムドプレイオーダテーブルを検索して、トラックデスクリプタＤｍを参照しているトラックが全て削除される。新たな暗号化鍵を発生させ、トラックデスクリプタＤｎから、パーツデスクリプタのリストが取り出され、そのパーツデスクリプタのリストの最後尾に、トラックデスクリプタＤｍから取り出したパーツデスクリプタのリストが連結される。
【０１９２】
トラックを連結する場合には、双方のトラックデスクリプタを比較して、著作権管理上問題のないことを確認し、トラックデスクリプタからパーツデスクリプタを得て、双方のトラックを連結した場合にフラグメントに関する規定が満たされるかどうか、ＦＡＴテーブルで確認する必要がある。また、必要に応じて、ネームテーブルへのポインタの更新を行う必要がある。
【０１９３】
トラックｎを、トラックｎとトラックｎ＋１に分割する場合には、プレイオーダテーブル内のＴＩＮＦｎから、そのトラックの情報が記述されているトラックデスクリプタナンバＤｎが取得される。プレイオーダテーブル内のトラック情報ＴＩＮＦｎ＋１から、そのトラックの情報が記述されているトラックデスクリプタナンバＤｍ取得される。そして、プレイオーダテーブル内のＴＩＮＦｎ＋１から後の有効なトラック情報ＴＩＮＦの値（トラックデスクリプタナンバ）が、全て１つ後に移動される。トラックデスクリプタＤｎについて、新しい鍵が生成される。トラックデスクリプタＤｎから、パーツデスクリプタのリストが取り出される。新たなパーツデスクリプタが割り当てられ、分割前のパーツデスクリプタの内容がそこにコピーされる。分割点の含まれるパーツデスクリプタが、分割点の直前までに短縮される。また分割点以降のパーツデスクリプタのリンクが打ち切られる。新たなパーツデスクリプタが分割点の直後に設定される。
【０１９４】
７．音楽データの管理方式の第２の例
次に、オーディオデータの管理方式の第２の例について説明する。図３３は、オーディオデータの管理方式の第２の例である。図３３に示すように、第２の例における管理方式では、ディスク上には、トラックインデックスファイルと、複数のオーディオデータファイルとが生成される。トラックインデックスファイルおよび複数のオーディオデータファイルは、ＦＡＴシステムで管理されるファイルである。
【０１９５】
オーディオデータファイルは、図３４に示すように、原則的には１曲が１ファイルの音楽データが納められたものである。このオーディオデータファイルには、ヘッダが設けられている。ヘッダには、タイトルと、復号鍵情報と、著作権管理情報とが記録されるとともに、インデックス情報が設けられる。インデックスは、１つのトラックの楽曲を複数に分割するものである。ヘッダには、インデックスにより分割された各トラックの位置がインデックスナンバに対応して記録される。インデックスは、例えば、２５５箇設定できる。
【０１９６】
トラックインデックスファイルは、オーディオデータファイルに納められた音楽データを管理するための各種の情報が記述されたファイルである。トラックインデックスファイルは、図３５に示すように、プレイオーダテーブルと、プログラムドプレイオーダテーブルと、グループインフォメーションテーブルと、トラックインフォメーションテーブルと、ネームテーブルとからなる。
【０１９７】
プレイオーダテーブルは、デフォルトで定義された再生順序を示すテーブルである。プレイオーダテーブルは、図３６に示すように、各トラックナンバ（曲番）についてのトラックインフォメーションテーブルのトラックデスクリプタ（図３９）へのリンク先を示す情報ＴＩＮＦ１、ＴＩＮＦ２、…が格納されている。トラックナンバは、例えば「１」から始まる連続したナンバである。
【０１９８】
プログラムドプレイオーダテーブルは、再生手順を各ユーザが定義したテーブルである。プログラムドプレイオーダテーブルには、図３７に示すように、各トラックナンバについてのトラックデスクリプタへのリンク先の情報トラック情報ＰＩＮＦ１、ＰＩＮＦ２、…が記述されている。
【０１９９】
グループインフォメーションテーブルには、図３８に示すように、グループに関する情報が記述されている。グループは、連続したトラックナンバを持つ１つ以上のトラックの集合、または連続したプログラムドトラックナンバを持つ１つ以上のトラックの集合である。グループインフォメーションテーブルは、図３８Ａに示すように、各グループのグループデスクリプタで記述されている。グループデスクリプタには、図３８Ｂに示すように、そのグループが開始されるトラックナンバと、終了トラックのナンバと、グループネームと、フラグが記述される。
【０２００】
トラックインフォメーションテーブルは、図３９に示すように、各曲に関する情報が記述される。トラックインフォメーションテーブルは、図３９Ａに示すように、各トラック毎（各曲毎）のトラックデスクリプタからなる。各トラックデスクリプタには、図３９Ｂに示すように、その楽曲が納められているオーディオデータファイルのファイルのポインタ、インデックスナンバ、アーチストネーム、タイトルネーム、元曲順情報、録音時間情報等が記述されている。アーチストネーム、タイトルネームは、ネームそのものではなく、ネームテーブルへのポインタが記述されている。
【０２０１】
ネームテーブルは、ネームの実体となる文字を表すためのテーブルである。ネームテーブルは、図４０Ａに示すように、複数のネームスロットからなる。各ネームスロットは、ネームを示す各ポインタからリンクされて呼び出される。ネームを呼び出すポインタは、トラックインフォメーションテーブルのアーチストネームやタイトルネーム、グループインフォメーションテーブルのグループネーム等がある。また、各ネームスロットは、複数から呼び出されることが可能である。各ネームスロットは、図４０Ｂに示すように、ネームデータと、ネームタイプと、リンク先とからなる。１つのネームスロットで収まらないような長いネームは、複数のネームスロットに分割して記述することが可能である。そして、１つのネームスロットで収まらない場合には、それに続くネームが記述されたネームスロットへのリンク先が記述される。
【０２０２】
オーディオデータの管理方式の第２の例では、図４１に示すように、プレイオーダテーブル（図３６）により、再生するトラックナンバが指定されると、トラックインフォメーションテーブルのリンク先のトラックデスクリプタ（図３９）が読み出され、このトラックデスクリプタから、その楽曲のファイルポインタおよびインデックスナンバ、アーチストネームおよびタイトルネームのポインタ、元曲順情報、録音時間情報等が読み出される。
【０２０３】
その楽曲のファイルのポインタから、そのオーディオデータファイルがアクセスされ、そのオーディオデータファイルのヘッダの情報が読み取られる。オーディオデータが暗号化されている場合には、ヘッダから読み出された鍵情報が使われる。そして、そのオーディオデータファイルが再生される。このとき、もし、インデックスナンバが指定されている場合には、ヘッダの情報から、指定されたインデックスナンバの位置が検出され、そのインデックスナンバの位置から、再生が開始される。
【０２０４】
また、トラックインフォメーションテーブルから読み出されたアーチストネームやタイトルネームのポインタにより指し示される位置にあるネームテーブルのネームスロットが呼び出され、その位置にあるネームスロットから、ネームデータが読み出される。
【０２０５】
新たにオーディオデータを記録する場合には、ＦＡＴテーブルにより、所望の数のレコーディングブロック以上、例えば、４つのレコーディングブロック以上連続した未使用領域が用意される。
【０２０６】
オーディオデータを記録するための領域が用意されたら、トラックインフォメーションテーブルに新しいトラックデスクリプタが１つ割り当てられ、このオーディオディデータを暗号化するためのコンテンツ鍵が生成される。そして、入力されたオーディオデータが暗号化され、オーディオデータファイルが生成される。
【０２０７】
新たに確保されたトラックデスクリプタに、新たに生成されたオーディオデータファイルのファイルポインタや、鍵情報が記述される。更に、必要に応じて、ネームスロットにアーチストネームやタイトルネーム等が記述され、トラックデスクリプターに、そのネームスロットにアーチストネームやタイトルネームにリンクするポインタが記述される。そして、プレイオーダーテーブルに、そのトラックデスクリプターのナンバが登録される。また著作権管理情報の更新がなされる。
【０２０８】
オーディオデータを再生する場合には、プレイオーダーテーブルから、指定されたトラックナンバに対応する情報が求められ、トラックインフォメーションテーブルの再生すべきトラックのトラックデスクリプタが取得される。
【０２０９】
そのトラックデスクリプタから、またその音楽データが格納されているオーディオデータのファイルポインタおよびインデックスナンバが取得される。そして、そのオーディオデータファイルがアクセスされ、ファイルのヘッダから、鍵情報が取得される。そして、そのオーディオデータファイルのデータに対して、取得された鍵情報を用いて暗号が解読され、オーディオデータの再生がなされる。インデックスナンバが指定されている場合には、指定されたインデックスナンバの位置から、再生が開始される。
【０２１０】
トラックｎを、トラックｎとトラックｎ＋１に分割する場合には、プレイオーダテーブル内のＴＩＮＦｎから、そのトラックの情報が記述されているトラックデスクリプタナンバＤｎが取得される。プレイオーダテーブル内のトラック情報ＴＩＮＦｎ＋１から、そのトラックの情報が記述されているトラックデスクリプタナンバＤｍが取得される。そして、プレイオーダテーブル内のＴＩＮＦｎ＋１から後の有効なトラック情報ＴＩＮＦの値（トラックデスクリプタナンバ）が、全て１つ後に移動される。
【０２１１】
図４２に示すように、インデックスを使うことにより、１つのファイルのデータは、複数のインデックス領域に分けられる。このインデックスナンバとインデックス領域の位置がそのオーディオトラックファイルのヘッダに記録される。トラックデスクリプタＤｎに、オーディオデータのファイルポインタと、インデックスナンバが記述される。トラックデスクリプタＤｍに、オーディオデータのファイルポインタと、インデックスナンバが記述される。これにより、オーディオファイルの１つのトラックの楽曲Ｍ１は、見かけ上、２つのトラックの楽曲Ｍ１１とＭ１２とに分割される。
【０２１２】
プレイオーダテーブル上のトラックｎとトラックｎ＋１とを連結する場合には、プレイオーダテーブル内のトラック情報ＴＩＮＦｎから、そのトラックの情報が記述されているトラックデスクリプタナンバＤｎが取得される。また、プレイオーダテーブル内のトラック情報ＴＩＮＦｎ＋１から、そのトラックの情報が記述されているトラックデスクリプタナンバＤｍが取得される。プレイオーダテーブル内のＴＩＮＦｎ＋１から後の有効なＴＩＮＦの値（トラックデスクリプタナンバ）が全て１つ前に移動される。
【０２１３】
ここで、トラックｎとトラックｎ＋１とが同一のオーディオデータファイル内にあり、インデックスで分割されている場合には、図４３に示すように、ヘッダのインデックス情報を削除することで、連結が可能である。これにより、２つのトラックの楽曲Ｍ２１とＭ２２は、１つのトラックの楽曲Ｍ２３に連結される。
【０２１４】
トラックｎが１つのオーディオデータファイルをインデックスで分割した後半であり、トラックｎ＋１が別のオーディオデータファイルの先頭にある場合には、図４４に示すように、インデックスで分割されていたトラックｎのデータにヘッダが付加され、楽曲Ｍ３２のオーディオデータファイルが生成される。これに、トラックｎ＋１のオーディオデータファイルのヘッダが取り除かれ、この楽曲Ｍ４１のトラックｎ＋１のオーディオデータが連結される。これにより、２つのトラックの楽曲Ｍ３２とＭ４１は、１つのトラックの楽曲Ｍ５１として連結される。
【０２１５】
以上の処理を実現するために、インデックスで分割されていたトラックに対して、ヘッダを付加し、別の暗号鍵で暗号化して、インデックスによるオーディオディデータを１つのオーディオデータファイルに変換する機能と、オーディオデータファイルのヘッダを除いて、他のオーディオデータファイルに連結する機能が持たされている。
【０２１６】
８．選曲方法について
次に、この発明の実施の一形態について説明する。この発明では、トラックの配列を２次元的に表示して再生トラック選択の際の操作回数を減らすようにしている。例えば、トラックをドットのシンボルを用いて表現し、このシンボルを表示手段に２次元的に配置する。このシンボルを操作手段で特定していき、所望のトラックに対応するシンボルを選択することで、そのトラックを再生することができるようにする。
【０２１７】
図４５は、ディスクドライブ装置１の一例の外観を概略的に示す。ディスクドライブ装置１の表面側に操作部５０と表示部５１とが所定に配置される。操作部５０は、表面側だけでなく、操作子１００のように側面側にさらに配置してもよいし、裏面側にも配置することができる。
【０２１８】
操作部５０において、操作子１００は、２方向の回転操作と押圧操作とが可能とされたジョグダイヤルである。操作子１０１は、集中コントロールキーであって、４方向への押圧と、中央部の押圧の５種類の操作が可能とされている。ここでは、操作子１０１の４方向への操作方向を図４５の表現に倣って上下左右方向として記述する。同様に、操作子の２方向の回転操作を上下方向への回転として記述する。なお、操作子１００および１０１は、何方か一方を設けるようにしてもよい。
【０２１９】
スイッチ１０３は、録音開始を指示するスライドスイッチである。キー１０４は、グループ機能を制御するためのキーである。キー１０５および１０６は、それぞれ再生または録音の一時停止および停止を指示する。操作子１０２は、蓋開閉用のボタンであって、この操作子１０２を操作してディスクドライブ装置１の蓋を開けて、ディスク９０を装置内に装填する。また、ジャック１０７および１０８は、それぞれ音声信号入力用、出力用のジャックであって、オーディオ処理部１０に接続される。ジャック１０８にヘッドフォンなどを接続することで、装置内に装填されたディスク９０から再生された再生音を聞くことができる。
【０２２０】
図４６は、表示部５１の一例の構成を示す。この実施の一形態においては、表示部５１は、表示素子としてはＬＣＤ（Ｌｉｑｕｉｄ  Ｃｒｙｓｔａｌ  Ｄｉｓｐｌａｙ）が用いられ、セグメント表示部５１Ａと文字表示部５１Ｂとからなる。セグメント表示部５１Ａは、複数のアイコンや固定的な文字が配置され、ディスクドライブ装置１の状態や設定などが表示される。ドットマトリクス部５１Ｂは、ドットのＯＮ／ＯＦＦの組み合わせで文字や記号、図形などを表示することができるようにされている。なお、表示部５１の表示素子は、ＬＣＤに限定されない。
【０２２１】
図４７は、表示部５１のうちドットマトリクス部５１Ｂを抜き出して示し、表示部５１に対するこの発明の実施の一形態による一例のトラック表示を示す。この図４７Ａの例では、ドットマトリクス部５１Ｂは、１文字が５×７ドットで表現され、９文字×３行が表示可能とされている。
【０２２２】
この発明の実施の一形態では、トラック表示を、図４７Ａに一例が示されているように、文字表示２００とマトリクス表示２０１とで表現する。図４７Ｂは、マトリクス表示２０１を抜き出して示す。マトリクス表示２０１は、１ドットからなるシンボルに１トラックを対応させ、そのシンボルをトラックの配列に対応して２次元的に配置することで、複数のトラックを２次元的に表現する。また、所定数のトラックを単位としてグループを形成し、トラックに対応したドットをグループ毎に２次元的な配置で表示している。さらに、トラック数が１グループのシンボル数で表現可能な数より多く、グループが複数にわたる場合、グループを互いに所定の間隔を空けて表示部５１Ｂに配置している。この例では、１グループが２５トラックとされ、５×５ドットで表現されている。また、グループとグループの間は、１ドット分の間隔が設けられている。
【０２２３】
すなわち、この図４７Ｂの例では、５×５ドットで示されるマトリクスで２５トラックが表現され、現在２５トラック×２＋２３トラック＝７３トラックが存在することが示されている。また、グループ内ではトラック番号の小さい順に上から下へ、さらに左から右へとトラック番号に対応するドットが配置される。さらに、グループ間では、トラック番号の小さい順に左から右へとグループが配置される。例えば、最も左側に配置されるグループの左上隅のドット２１０が１トラック目を表し、ドット２１０の直下のドットが２トラック目を表す。ドット２１０の隣のドット２１１は、６トラック目を表し、隣のグループの左上隅のドット２１２は、２６トラック目を表す。なお、ドットおよびグループのトラック番号に対する配置は、この例に限定されない。
【０２２４】
トラック数が多くて、１行では表現しきれない場合は、複数行を用いて表示を行うことができる。図４８は、マトリクス表示２０１が２行目にわたっている例である。トラック番号の大きい行がより下側に配置される。なお、ここでは、１行に４グループ、１００トラックまでを表示可能とする。図４８の例では、１７３トラックが存在することが示されている。
【０２２５】
このような、マトリクス表示２０１によるトラック表示において、所望の１トラックを選択する方法について説明する。トラックに対応してシンボルとして表示されたドットのうち、特定されたトラックに対応するドットを、異なるシンボル、例えばブリンク（点滅）表示で表示させる。この特定した位置をフォーカスポイントと称する。なお、初期状態では、１トラック目、すなわち、最も左上隅にあるドットが特定されフォーカスポイントとされているものとする。
【０２２６】
フォーカスポイントは、操作子１００や操作子１０１といった操作手段を所定に操作することで、Ｘ方向、Ｙ方向に移動される。ここでは、操作手段として操作子１０１を用いる例について説明する。操作子１０１を上下左右方向に操作（押圧）することによって、操作方向に対応した方向にフォーカスポイントがドット単位で移動される。そして、このフォーカスポイントの移動に伴い、特定されるトラックが変更される。操作手段に対して確定操作を行うと、フォーカスポイントのドットが確定され、確定されたドットに対応するトラックの例えば再生が開始される。確定操作は、例えば操作子１０１を押圧することでなされる。他のキーを操作することで確定操作としてもよい。
【０２２７】
文字表示２００は、例えば現在のフォーカスポイントに対応するトラックのトラック番号が表示される。文字表示２００として表示されるトラック番号は、確定操作が行われるまでは例えばブリンク表示とされる。また、図４８の例のように、表示が複数行にわたっているときは、例えば、フォーカスポイントのある行は、フォーカスポイントに対応するトラック番号がブリンク表示され、その他の行は、その行の左上隅のドットに対応するトラック番号がブリンクしないで通常に表示される。図４８の例では、１行に１００トラックが表示可能とされているので、２行目の左上隅のドットに対応するトラック番号は、「１０１」とされる。
【０２２８】
なお、表示部５１Ｂに一度で表示可能なトラック数よりも多いトラック数が存在するときは、行をスクロールさせてトラックの表示を行うことができる。例えば表示部５１Ｂが１００トラックの表示が可能な行を３行、一度に表示することが可能であるとすれば、操作子１０１を操作して３０１トラック目を特定したときに、行が１行分上にスクロールされ、表示部５１Ｂに対して２行目〜４行目が表示される。
【０２２９】
また、詳細は後述するが、操作部５０の所定の操作により、フォーカスポイントをドットマトリクス内ではなく、文字表示２００とすることもできる。この場合、現在特定されているトラック情報のうち特定部分を文字表示２００として表示させることができる。
【０２３０】
図４９〜図５１は、このドットマトリクスによるトラック表示により選曲を行う一例の処理を示すフローチャートである。図４９〜図５１において、符号「Ａ」、「Ｂ」、「Ｃ」および「Ｄ」は、それぞれ対応する符号に処理が移行することを示す。また、図４９〜図５１において用いられる変数を、以下のように定義する。
【０２３１】
先ず、フォーカスポイント（ＦＰ）の位置を示す変数として、ＦＬ、ＦＸ、ＦＹを用いる。
ＦＬ：行位置を指定する。
ＦＸ：フォーカスポイントの横方向の位置を指定する。
ＦＹ：フォーカスポイントの縦方向の位置を指定する。
ここで、第１行目は、ＦＬ＝０とされる。同様に、行の左上隅にフォーカスポイントがあるとき、ＦＸ＝０、ＦＹ＝０である。すなわち、フォーカスポイントが第１行目の左上隅にあれば、フォーカスポイントＦＰの位置は、ＦＰ（ＦＬ，ＦＸ，ＦＹ）＝ＦＰ（０，０，０）と表される。
【０２３２】
フォーカスポイントの動作モードを表す変数として、ＦＬＧを用いる。ＦＬＧ＝ＯＮで行のスクロールを行う行スクロールモード、ＦＬＧ＝ＯＦＦでドット間での移動を行うドットスクロールモードを表す。
【０２３３】
トラックに関する変数および関数として、ｆ＿ｔｎｏ（）、ＴＮＯおよびＴ＿ＴＮＯを用いる。ｆ＿ｔｎｏ（）は、現在のフォーカスポイントに対応するトラック番号を得るための関数であり、トラック番号ＴＮＯは、次の式（１）で求めることができる。
ＴＮＯ＝ＦＬ×１００＋ＦＸ×５＋ＦＹ＋１      ・・・（１）
【０２３４】
Ｔ＿ＴＮＯは、ディスク９０に記録されている総トラック数である。Ｔ＿ＴＮＯは、ディスク９０がディスクドライブ装置１に装填されたときに、装填されたディスク９０が次世代ＭＤ１、次世代ＭＤ１．５、次世代ＭＤ２によるものであればトラックインデックスファイル、現行のＭＤシステムによるものであればＵ−ＴＯＣを読み込むことで知ることができる。
【０２３５】
また、以下の説明において、全トラック数が１００×Ｍ＋Ｎトラックあるものとする。
【０２３６】
キー１０４が操作されることで選曲が開始される。最初のステップＳ２０１で、現在特定されているトラックに基づきＦＬ、ＦＸ、ＦＹが設定され、ＦＬＧ＝ＯＮとされる。ディスク９０を装填した直後など、トラックがユーザにより積極的に特定されていない状態であれば、ＦＬ＝０、ＦＸ＝０、ＦＹ＝０となる。また、総トラック数Ｔ＿ＴＮＯに基づきマトリクス表示２０１が形成され表示されると共に、文字表示２００が表示される。そして、処理がステップＳ２０２に移行される。
【０２３７】
ステップＳ２０２では、トラック表示がなされ、フォーカスポイントがブリンク表示される。すなわち、ステップＳ２０２では、ＦＬが示す行が表示部５１Ｂにおける３行表示の中心行になるようにマトリクス表示２０１および文字表示２００が表示制御されると共に、マトリクス表示２０１において、現在特定されているトラックに対応するドット、すなわち（ＦＸ、ＦＹ）で示されるドットがブリンク表示される。
【０２３８】
処理はステップＳ２０３に移行され、ＦＬＧ＝ＯＮであるか否か、すなわち行スクロールモードであるか否かが判断される。先ず、便宜上、ＦＬＧ＝ＯＦＦとされドットスクロールモードに設定されている場合について説明する。ＦＬＧ＝ＯＦＦであれば、処理はステップＳ２０４に移行される。
【０２３９】
以下、ステップＳ２０４、ステップＳ２１０、ステップＳ２２１およびステップＳ２２５で、操作子１０１（図中ではキーと表記）が下、上、左および右方向に操作されているか否かがそれぞれ判断される。若し、何れの方向にも操作されていないと判断されれば、処理はステップＳ２３０に移行され、操作子１０１が押圧されたか否かが判断される。若し、操作子１０１が押圧されていないと判断されれば、操作子１０１に対して何も操作がなされていないので、処理はステップＳ２０２に戻される。
【０２４０】
一方、ステップＳ２３０で操作子１０１が押圧されたと判断されれば、現在のフォーカスポイントＦＰ（ＦＬ，ＦＸ，ＦＹ）に対応するトラックに選択が決定されたとされ、上述した式（１）でトラック番号が求められ、当該トラックが再生される。
【０２４１】
上述のステップＳ２０４において、操作子１０１が下方向に操作されたと判断されれば、処理はステップＳ２０５〜ステップＳ２０９に移行される。このステップＳ２０５〜ステップＳ２０９では、フォーカスポイントを１つだけ下に移動させる、すなわち、ＦＹの値に「１」を加える処理を行う。ステップＳ２０５では、ＦＹの値が「５」であるか否かが判断される。若し、ＦＹの値が「５」ではないと判断されれば、ステップＳ２０６でＦＹの値に「１」が加えられ、処理がステップＳ２０８に移行される。一方、ＦＹの値が「５」であると判断されれば、ステップＳ２０７でＦＬの値に「１」が加えられると共に、ＦＹの値が「０」とされ、処理がステップＳ２０８に移行される。
【０２４２】
ステップＳ２０８では、関数ｆ＿ｔｎｏ（）により現在のフォーカスポイントに対応するトラック番号ＴＮＯが求められ、ＴＮＯとトラック総数Ｔ＿ＴＮＯとが比較される。その結果、トラック番号ＴＮＯがトラック総数Ｔ＿ＴＮＯ以上であると判断されれば、ステップＳ２０９でＦＹおよびＦＬの値が共に「０」とされ、処理がステップＳ２０２に戻される。一方、比較の結果、トラック番号ＴＮＯがトラック総数Ｔ＿ＴＮＯ未満であると判断されれば、処理はステップＳ２０２に戻される。
【０２４３】
上述のステップＳ２１０において、操作子１０１が上方向に操作されたと判断されれば、処理はステップＳ２１１〜ステップＳ２２０に移行される。このステップＳ２１１〜ステップＳ２２０では、フォーカスポイントを１つ上に移動させる、すなわち、ＦＹの値から「１」を減ずる処理を行う。ステップＳ２１１では、ＦＹの値が「０」であるか否かが判断される。若し、ＦＹの値が「０」ではないと判断されれば、ステップＳ２１２でＦＹの値から「１」が減ぜられ、処理はステップＳ２０２に戻される。一方、ステップＳ２１１でＦＹの値が「０」であると判断されれば、処理がステップＳ２１３に移行される。
【０２４４】
ステップＳ２１３では、ＦＬの値が「０」であるか否かが判断される。若し、ＦＬの値が「０」ではないと判断されれば、ステップＳ２１４でＦＬの値から「１」が減ぜられ行が１つ前の行に移行されると共に、ＦＹの値が「５」とされ、処理がステップＳ２０２に戻される。一方、ステップＳ２１３でＦＬの値が「０」である、すなわち、フォーカスポイントが最初の行にあると判断されれば、処理はステップＳ２１５に移行される。ステップＳ２１５では、ＦＹの値が「０」とされる。それと共に、ステップＳ２１５では、トラック総数Ｔ＿ＴＮＯを「１００」で除した値がＦＬの値とされる。実際には、トラック総数Ｔ＿ＴＮＯを「１００」で除した値の整数部がＦＬの値とされる。そして、処理がステップＳ２１６に移行される。
【０２４５】
ステップＳ２１６では、トラック総数Ｔ＿ＴＮＯを「１００」で除したときの余りを「５」で除した値（の整数部）がＦＸの値を超えるか否かが判断される。若し、越えると判断されれば、処理はステップＳ２０２に戻される。一方、越えないと判断されれば、処理はステップＳ２１７に移行され、トラック総数Ｔ＿ＴＮＯを「１００」で除したときの余りを「５」で除した値（の整数部）とＦＸの値とが等しいか否かが判断される。若し、等しいと判断されれば、処理はステップＳ２１８に移行され、トラック総数Ｔ＿ＴＮＯを「１００」で除したときの余りを「５」で除した値の余りがＦＹの値とされ、処理がステップＳ２０２に戻される。
【０２４６】
一方、ステップＳ２１７で、判断の結果等しくない、すなわち、トラック総数Ｔ＿ＴＮＯを「１００」で除したときの余りを「５」で除した値（の整数部）がＦＸの値より小さいと判断されれば、処理はステップＳ２１９に移行される。ステップＳ２１９では、ＦＬの値が「０」であるか否かが判断される。若し、「０」ではないと判断されれば、ステップＳ２２０でＦＬの値が「１」減ぜられ、処理がステップＳ２０２に戻される。一方、ＦＬの値が「０」であると判断されれば、そのまま処理はステップＳ２０２に戻される。
【０２４７】
上述のステップＳ２２１において、操作子１０１が左方向に操作されたと判断されれば、処理はステップＳ２２２〜ステップＳ２２４に移行される。このステップＳ２２２〜ステップＳ２２４では、フォーカスポイントを１つ左に移動させる、すなわち、ＦＸの値から「１」を減ずる処理を行う。ステップＳ２２２で、ＦＸの値が「０」であるか否かが判断される。若し、「０」であると判断されれば、ステップＳ２２３でＦＬＧが「ＯＮ」とされ、処理はステップＳ２０２に戻される。一方、「０」ではないと判断されれば、ステップＳ２２４でＦＸから「１」が減ぜられ、処理はステップＳ２０２に戻される。
【０２４８】
上述のステップＳ２２５において、操作子１０１が右方向に操作されたと判断されれば、処理はステップＳ２２６〜ステップＳ２２９に移行される。このステップＳ２２６〜ステップＳ２２９では、フォーカスポイントを１つ右に移動させる、すなわち、ＦＸの値に「１」を加える処理を行う。ステップＳ２２６で、ＦＸの値が「１９」であるか否かが判断される。若し、「１９」であると判断されれば、ステップＳ２２７でＦＬＧが「ＯＮ」とされ、処理はステップＳ２０２に戻される。一方、「１９」ではないと判断されれば、ステップＳ２２８でＦＸの値から「１」が減ぜられ、処理はステップＳ２２９に移行される。ステップＳ２２９では、関数ｆ＿ｔｎｏ（）により現在のフォーカスポイントに対応するトラック番号ＴＮＯが取得され、それがトラック総数Ｔ＿ＴＮＯ以上であるか否かが判断される。若し、トラック総数Ｔ＿ＴＮＯ以上であると判断されれば、処理はステップＳ２２７に移行される。一方、トラック総数Ｔ＿ＴＮＯ未満であると判断されれば、処理はステップＳ２０２に戻される。
【０２４９】
上述のステップＳ２０３において、ＦＬＧ＝ＯＮ、すなわち、行スクロールモードの場合の処理について説明する。ＦＬＧ＝ＯＮであれば、処理はステップＳ２３４に移行される。
【０２５０】
以下、ステップＳ２３４、ステップＳ２３８、ステップＳ２４２およびステップＳ２４６で、操作子１０１（図中ではキーと表記）が下、上、右および左方向に操作されているか否かがそれぞれ判断される。若し、何れの方向にも操作されていないと判断されれば、処理はステップＳ２０２に戻される。
【０２５１】
ステップＳ２３４で、操作子１０１が下方向に操作されたと判断されれば、処理はステップＳ２３５〜ステップＳ２３７に移行される。このステップＳ２３５〜ステップＳ２３７は、行を一つ進める、すなわち、ＦＬの値に「１」を加える処理を行う。ステップＳ２３５でＦＬの値に「１」が加えられ、処理がステップＳ２３６に移行される。ステップＳ２３６では、関数ｆ＿ｔｎｏ（）により現在のフォーカスポイントに対応するトラック番号ＴＮＯが取得され、それがトラック総数Ｔ＿ＴＮＯ以上であるか否かが判断される。若し、トラック総数Ｔ＿ＴＮＯ以上であると判断されれば、ステップＳ２３７でＦＬの値が「０」とされ、処理がステップＳ２０２に戻される。一方、トラック総数Ｔ＿ＴＮＯ未満であると判断されれば、処理がステップＳ２０２に戻される。
【０２５２】
ステップＳ２３８で、操作子１０１が上方向に操作されたと判断されれば、処理はステップＳ２３９〜ステップＳ２４１に移行される。このステップＳ２３９〜ステップＳ２４１は、行を一つ戻す、すなわち、ＦＬの値から「１」を減ずる処理を行う。ステップＳ２３９で、ＦＬの値が「０」であるか否かが判断される。若し、「０」でないと判断されれば、ステップＳ２４０でＦＬの値から「１」が減ぜられ、処理がステップＳ２０２に戻される。一方、「０」であると判断されれば、処理はステップＳ２４１に移行され、トラック総数Ｔ＿ＴＮＯが「１００」で除された値（の整数部）がＦＬとされ、処理がステップＳ２０２に戻される。
【０２５３】
ステップＳ２４２で、操作子１０１が右方向に操作されたと判断されれば、処理はステップＳ２４３〜ステップＳ２４５に移行される。このステップＳ２４３〜ステップＳ２４５は、スクロールモードが行スクロールモードからドットスクロールモードへと移行される。ステップＳ２４３で、ＦＬＧが「ＯＦＦ」とされてドットスクロールモードが設定されると共にＦＸの値が「０」とされ、処理がステップＳ２４４に移行される。
【０２５４】
ステップＳ２４４では、関数ｆ＿ｔｎｏ（）により現在のフォーカスポイントに対応するトラック番号ＴＮＯが取得され、それがトラック総数Ｔ＿ＴＮＯ以上であるか否かが判断される。若し、現在のフォーカスポイントに対応するトラック番号ＴＮＯがトラック総数Ｔ＿ＴＮＯ未満であると判断されれば、処理はステップＳ２０２に戻される。一方、現在のフォーカスポイントに対応するトラック数ＴＮＯがトラック総数Ｔ＿ＴＮＯ以上であると判断されれば、ステップＳ２４５でトラック総数Ｔ＿ＴＮＯを「５」で除した余りの値をＦＹの値とし、処理がステップＳ２０２に戻される。
【０２５５】
ステップＳ２４６で操作子１０１が左方向に操作されたと判断されれば、処理はステップＳ２４７〜ステップＳ２５３に移行される。このステップＳ２４７〜ステップＳ２５３は、スクロールモードが行スクロールモードからドットスクロールモードへと移行される。ステップＳ２４７で、ＦＬＧが「ＯＦＦ」とされてドットスクロールモードが設定されると共に、ＦＸの値が「１９」とされ、処理がステップＳ２４８に移行される。
【０２５６】
ステップＳ２４８では、関数ｆ＿ｔｎｏ（）により現在のフォーカスポイントに対応するトラック番号ＴＮＯが取得され、それがトラック総数Ｔ＿ＴＮＯ以上であるか否かが判断される。若し、現在のフォーカスポイントに対応するトラック番号ＴＮＯがトラック総数Ｔ＿ＴＮＯ未満であると判断されれば、処理はステップＳ２０２に戻される。一方、現在のフォーカスポイントに対応するトラック数ＴＮＯがトラック総数Ｔ＿ＴＮＯ以上であると判断されれば、ステップＳ２４９でトラック総数Ｔ＿ＴＮＯを「１００」で除した余りの値を「５」で除した値（の整数部）をＦＸの値とし、処理がステップＳ２５０に移行される。
【０２５７】
ステップＳ２５０では、ＦＹの値がトラック総数Ｔ＿ＴＮＯを「５」で除した余りの値を超えるか否かが判断される。若し、越えないと判断されれば、処理はステップＳ２０２に戻される。一方、越えると判断されれば、処理はステップＳ２５１に移行され、ＦＹの値が「０」であるか否かが判断される。若し、「０」ではないと判断されれば、ステップＳ２５２でＦＸの値から「１」が減ぜられ、処理はステップＳ２０２に戻される。一方、「０」であると判断されれば、ステップＳ２５３でトラック総数Ｔ＿ＴＮＯを「５」で除した余りの値がＦＹの値とされ、処理がステップＳ２０２に戻される。
【０２５８】
このように、この発明の実施の一形態では、トラック表示および選択が２次元的に行われると共に、フォーカスポイントの移動が上下左右に対して巡回的に行われる。そのため、例えば２０００トラックから選択を行う場合でも、最大操作回数は、Ｘ方向に１０回、Ｙ方向に５×１０回の計６０回となり、一次元な選択を行う場合に比べ、少なくて済む。また、トラック表示、フォーカスポイントの移動が２次元的になされるため、トラック選択の際の見通しがよい、１次元的な選択の場合に比べてトラック選択順のトラック番号に対する依存性が少ないなどのメリットもある。
【０２５９】
ここで、特許請求の範囲との一例の対応関係を示すと、請求項１においては、表示のステップは、例えばステップＳ２０２に対応する。特定のステップは、例えばステップＳ２０４、ステップＳ２１０、ステップＳ２２１、ステップＳ２２５、ステップＳ２３４、ステップＳ２３８、ステップＳ２４２およびステップＳ２４６およびこれらそれぞれのステップ以下の各ステップに対応する。確定のステップは、例えばステップＳ２３０に対応する。ステップＳ２３０で確定されたシンボルに対応するトラックが選択され、ステップＳ２３１で例えば再生される。また、請求項２０においては、表示手段は、例えば表示部５１に対応する。操作手段は、例えば操作部１００や操作部１０１に対応する。再生手段は、メディアドライブ部２に対応し、さらにシステムコントローラ９、メモリ転送コントローラ３、クラスタバッファメモリ４など、ディスク９０の再生に必要な他の構成を含めることができる。なお、これらの対応関係は一例であって、これに限定されるものではない。
【０２６０】
なお、上述では、ステップＳ２３０の処理として選択が決定されたトラックを再生するとしているが、これはこの例に限定されない。すなわち、上述のトラック選択の処理は、トラックの消去やトラック情報の変更など、トラックに対するエディット処理の際にも適用可能なものである。
【０２６１】
また、上述において、ステップＳ２０４、ステップＳ２１０、ステップＳ２２１およびステップＳ２２５による操作子１０１の操作方向の判断の順序は、この例に限られるものではない。同様に、ステップＳ２３４、ステップＳ２３８、ステップＳ２４２およびステップＳ２４６の判断の順序についても、この例に限られるものではない。
【０２６２】
さらに、上述の式（１）では、図４７や図４８で説明した、５×５ドットからなるグループ間に設けられる１ドット分の間隔や、行と行の間の間隔については、繁雑さを避けるために考慮していない。実際の処理では、これらの間隔が考慮されてフォーカスポイントの移動やドットとトラックとの対応付けなどが行われることは、いうまでもない。
【０２６３】
上述では、マトリクス表示２０１において文字表示部５１Ｂの１ドットをトラックを示すシンボルとして用いているが、これはこの例に限定されず、トラックを示すシンボルを複数ドットで構成してもよい。例えば、２×２ドットの４ドットや、１×２ドットの２ドットなどと１トラックとを対応させるようにできる。また、上述では、マトリクス表示２０１において、２５トラックを１グループとしているが、これはこの例に限定されない。例えば６×６ドットで３６トラックを１グループとしてもよいし、４×５ドット＝２０トラックといった、自乗数ではない構成としてもよい。
【０２６４】
また、上述では、フォーカスポイントをブリンク表示させるように説明したが、これはこの例に限定されない。例えば、フォーカスポイントの大きさを他とは違えるようにしてもよい。例えば、上述の複数ドットと１トラックとを対応させる例と組み合わせて、図５２に一例が示されるように、１トラックに２×２ドット分の表示領域を対応させ、この４ドットを全て表示させてフォーカスポイント２３０とし、フォーカスポイント以外２３０では、例えば２×２ドットの表示領域中の左上隅のドットだけを表示させる。このように表示することで、フォーカスポイント２３０が大きく強調されているように見える。勿論、この逆、すなわち、フォーカスポイントの表示を例えば２×２ドットの表示領域中の左上隅のドットだけとし、他を２×２ドットの全てを表示するようにしてもよい。この場合には、フォーカスポイントが他より小さく見えることになる。
【０２６５】
さらに、上述では、文字表示部５１Ｂが白黒２値表示であるように説明したが、これはこの例に限定されない。すなわち、文字表示部５１Ｂがカラー表示可能であってもよい。この場合には、例えばフォーカスポイントを他のトラック表示とは異なる色で表示するようにできる。さらにまた、トラックを表すシンボルとしてアイコン表示を用いてもよい。小さなアイコン表示を上述したようにトラックに対応して２次元配置する。このとき、フォーカスポイントを異なるアイコンで表すようにできる。
【０２６６】
また、上述では、文字表示部５１Ｂに対して、トラックを表すドット表示とトラック番号とを表示しているが、これはこの例に限定されない。例えば、フォーカスポイントが対応するトラックのトラック情報（曲名など）を文字表示部５１Ｂに表示させることができる。トラック情報は、現行ＭＤシステムではＵ−ＴＯＣに、次世代ＭＤ１、ＭＤ１．５、ＭＤ２システムではトラックインフォメーションテーブルに基づき知ることができる。トラック情報は、文字表示部５１Ｂに、別途、表示領域を設けて表示してもよいし、例えば上述の例で３行分が表示されるマトリクス表示２０１のうち１行分をトラック情報の表示に割り当ててもよい。フォーカスポイントに対応するトラックのトラック情報を常に表示させておいてもよいし、操作部５０に対する所定の操作に応じて表示を切り換えることもできる。
【０２６７】
さらに、上述では、ドットを特定しトラックを選択する際の操作手段として、上下左右方向の操作および押圧操作が可能な集中コントローラである操作子１０１を用いたが、これはこの例に限定されない。例えば、上下方向の操作と押圧操作とが可能なジョグダイヤル（操作子１００）を、ドット特定およびトラック選択の際の操作手段として用いることができる。この場合には、操作が上下方向と押圧操作の３つの自由度しかないので、上述のような２次元的な操作を行うためには、工夫が必要である。
【０２６８】
例えば、操作子１００の短時間（例えば１秒以内）の押圧操作で、操作方向に対応するフォーカスポイントの移動方向をＸ方向とＹ方向とで切り換え、長時間（例えば１秒以上）の押圧操作で、トラックの選択確定操作とし、フォーカスポイントに対応するトラックが再生されるようにする。このようにすれば、上述の図４９〜図５１のフローチャートの処理をそのまま適用することができる。
【０２６９】
操作子１００の操作方法としては、これに限らず、例えば初期状態で上下方向の操作がフォーカスポイントのＹ方向の移動とし、押圧することで、フォーカスポイントのＸ方向の移動に切り換えられるようにする。そして、操作子１００が回転されずに、すなわち、上下方向への操作が行われずに再び押圧されると、トラックの選択確定操作とするようにできる。この場合、操作子１００が回転されてからの押圧操作により、フォーカスポイントの移動方向を、Ｘ方向、Ｙ方向で切り換えるようにする。
【０２７０】
また、上述では、フォーカスポイントの移動が上下左右方向であるように説明したが、これはこの例に限らず、例えば斜め方向に移動可能としてもよい。さらに、フォーカスポイントの行単位、グループ単位の移動を行うような操作を取り入れることは容易である。
【０２７１】
次に、この発明の実施の一形態の変形例について説明する。上述の実施の一形態によれば、数１０トラック乃至数１００トラックといった多数のトラックの選択を行う際には、非常に有効である。一方、例えば現行のＭＤシステムに１枚のＣＤ分のトラックが記録されている場合のように、数トラック乃至十数トラックの中から１を選択する場合には、マトリクス表示２０１が却って煩わしく感じられることが考えられる。
【０２７２】
そこで、この実施の一形態の変形例では、ディスクドライブ装置１に装填されたディスク９０に記録されているトラック数に応じて、マトリクス表示２０１によるトラック表示と、従来のトラック番号や曲名を１次元的に表示する方法とを自動的に切り換える。ディスク９０に記録されている総トラック数を閾値判断して、トラック特定および選択をマトリクス表示２０１および従来の方法の何れを用いて行うかを決定する。
【０２７３】
図５３は、この実施の一形態の変形例によるトラック選択方法決定の一例の処理を示すフローチャートである。このフローチャートの処理に先立って、上述の、トラック特定および選択をマトリクス表示２０１および従来の方法の何れを用いて行うかを決定するための閾値を設定する。ここでは、マトリクス表示２０１の１グループである２５トラックを閾値とする。
【０２７４】
ステップＳ１０でディスク９０がディスクドライブ装置１に装填されると、ステップＳ１１で、装填されたディスク９０の種類が判別される。上述の「２．ディスクについて」の項などで既に説明したように、Ｐ−ＴＯＣの有無、Ｕ−ＴＯＣの内容などにより、装填されたディスク９０が現行のＭＤシステムによるものか、あるいは、次世代ＭＤ１、次世代ＭＤ１．５、次世代ＭＤ２によるものかを判断することができる。
【０２７５】
若し、ステップＳ１１で、装填されたディスク９０が次世代ＭＤ１、次世代ＭＤ１．５、次世代ＭＤ２の何れかによるものであると判断された場合には、処理はステップＳ１２に移行する。ステップＳ１２では、トラックインデックスファイルから記録されている総トラック数Ｔ＿ＴＮＯが取得され、処理がステップＳ１４に移行される。
【０２７６】
一方、ステップＳ１１で、装填されたディスク９０が現行のＭＤシステムによるものであると判断されれば、処理はステップＳ１３に移行する。そして、Ｕ−ＴＯＣから記録されている総トラック数Ｔ＿ＴＮＯが取得され、処理がステップＳ１４に移行される。
【０２７７】
ステップＳ１４では、ディスクドライブ装置１において、装填されたディスク９０の１トラック目の再生が準備される。そして、ステップＳ１５で、上述のステップＳ１２またはステップＳ１３で取得された総トラック数Ｔ＿ＴＮＯの閾値判断がなされる。若し、総トラック数Ｔ＿ＴＮＯが閾値より多いと判断されれば、処理はステップＳ１６に移行され、トラック表示およびトラック選択を、マトリクス表示２０１を用いて２次元的に行うように決定される。そして、処理は、上述した図４９〜図５１のフローチャートへと移行する。
【０２７８】
一方、ステップＳ１５で、総トラック数Ｔ＿ＴＮＯが閾値より少ないと判断されれば、処理はステップＳ１７に移行され、トラック表示およびトラック選択を、従来の、曲名やトラック番号に基づきトラックを順次、１次元的に表示および選択する方法で行うように決定される。
【０２７９】
なお、マトリクス表示２０１によるトラック表示と、従来のトラック番号や曲名をトラック毎に表示する方法とを、装填されたディスク９０の総トラック数Ｔ＿ＴＮＯに関わらず、操作部５０に対する所定の操作で選択することも可能である。
【０２８０】
上述では、この発明が着脱可能なディスクに記録されたトラックを選択するように説明したが、これはこの例に限定されない。例えば、この発明は、ハードディスクドライブに多数のトラックが記録された携帯用再生装置に適用することが可能である。
【０２８１】
【発明の効果】
上述したように、この発明では、トラック表示およびトラック選択を２次元的に行うことができるようにしているため、ディスクに多数のトラックが記録されていても、より少ない回数で多数のトラックから所望の１トラックを選択することができるという効果がある。
【０２８２】
また、トラック表示およびトラック選択を２次元的に行うことができるようにしているため、ディスクに多数のトラックが記録されていても、トラック選択の際の見通しがよく、トラック選択順のトラック番号に対する依存性が少ないため、所望のトラックを容易に選択することができるという効果がある。
【図面の簡単な説明】
【図１】次世代ＭＤ１システムの仕様のディスクの説明に用いる図である。
【図２】次世代ＭＤ１システムの仕様のディスクの記録領域の説明に用いる図である。
【図３】次世代ＭＤ２システムの仕様のディスクの説明に用いる図である。
【図４】次世代ＭＤ２システムの仕様のディスクの記録領域の説明に用いる図である。
【図５】ＵＩＤの一例のフォーマットを概略的に示す略線図である。
【図６】次世代ＭＤ１および次世代ＭＤ２のエラー訂正符号化処理の説明に用いる図である。
【図７】次世代ＭＤ１および次世代ＭＤ２のエラー訂正符号化処理の説明に用いる図である。
【図８】次世代ＭＤ１および次世代ＭＤ２のエラー訂正符号化処理の説明に用いる図である。
【図９】ウォブルを用いたアドレス信号の生成の説明に用いる斜視図である。
【図１０】現行のＭＤシステムおよび次世代ＭＤ１システムのＡＤＩＰ信号の説明に用いる図である。
【図１１】現行のＭＤシステムおよび次世代ＭＤ１システムのＡＤＩＰ信号の説明に用いる図である。
【図１２】次世代ＭＤ２システムのＡＤＩＰ信号の説明に用いる図である。
【図１３】次世代ＭＤ２システムのＡＤＩＰ信号の説明に用いる図である。
【図１４】現行のＭＤシステムおよび次世代ＭＤ１システムでのＡＤＩＰ信号とフレームとの関係を示す図である。
【図１５】次世代ＭＤ１システムでのＡＤＩＰ信号とフレームとの関係を示す図である。
【図１６】次世代ＭＤ２システムでのコントロール信号の説明に用いる図である。
【図１７】ディスクドライブ装置のブロック図である。
【図１８】メディアドライブ部の構成を示すブロック図である。
【図１９】次世代ＭＤ１によるディスクの一例の初期化処理を示すフローチャートである。
【図２０】次世代ＭＤ２によるディスクの一例の初期化処理を示すフローチャートである。
【図２１】オーディオデータの管理方式の第１の例の説明に用いる図である。
【図２２】オーディオデータの管理方式の第１の例によるオーディオデータファイルの説明に用いる図である。
【図２３】オーディオデータの管理方式の第１の例によるトラックインデックスファイルの説明に用いる図である。
【図２４】オーディオデータの管理方式の第１の例によるプレイオーダテーブルの説明に用いる図である。
【図２５】オーディオデータの管理方式の第１の例によるプログラムドプレイオーダテーブルの説明に用いる図である。
【図２６】オーディオデータの管理方式の第１の例によるグループインフォメーションテーブルの説明に用いる図である。
【図２７】オーディオデータの管理方式の第１の例によるトラックインフォメーションテーブルの説明に用いる図である。
【図２８】オーディオデータの管理方式の第１の例によるパーツインフォメーションテーブルの説明に用いる図である。
【図２９】オーディオデータの管理方式の第１の例によるネームテーブルの説明に用いる図である。
【図３０】オーディオデータの管理方式の第１の例による一例の処理を説明するための図である。
【図３１】ネームテーブルのネームスロットが複数参照可能であることを説明するための図である。
【図３２】オーディオデータの管理方式の第１の例でオーディオデータファイルからパーツを削除する処理の説明に用いる図である。
【図３３】オーディオデータの管理方式の第２の例の説明に用いる図である。
【図３４】オーディオデータの管理方式の第２の例によるオーディオデータファイルの構造を示す図である。
【図３５】オーディオデータの管理方式の第２の例によるトラックインデックスファイルの説明に用いる図である。
【図３６】オーディオデータの管理方式の第２の例によるプレイオーダテーブルの説明に用いる図である。
【図３７】オーディオデータの管理方式の第２の例によるプログラムドプレイオーダテーブルの説明に用いる図である。
【図３８】オーディオデータの管理方式の第２の例によるグループインフォメーションテーブルの説明に用いる図である。
【図３９】オーディオデータの管理方式の第２の例によるトラックインフォメーションテーブルの説明に用いる図である。
【図４０】オーディオデータの管理方式の第２の例によるネームテーブルの説明に用いる図である。
【図４１】オーディオデータの管理方式の第２の例による一例の処理を説明するための図である。
【図４２】オーディオデータの管理方式の第２の例で、インデックスにより１つのファイルのデータが複数のインデックス領域に分けられることを説明するための図である。
【図４３】オーディオデータの管理方式の第２の例で、トラックの連結の説明に用いる図である。
【図４４】オーディオデータの管理方式の第２の例で、別の方法によるトラックの連結の説明に用いる図である。
【図４５】ディスクドライブ装置の一例の外観を概略的に示す略線図である。
【図４６】表示部の一例の構成を示す略線図である。
【図４７】表示部のドットマトリクス部を抜き出して示す略線図である。
【図４８】マトリクス表示が２行目にわたっている例を示す略線図である。
【図４９】ドットマトリクスによるトラック表示により選曲を行う一例の処理を示すフローチャートである。
【図５０】ドットマトリクスによるトラック表示により選曲を行う一例の処理を示すフローチャートである。
【図５１】ドットマトリクスによるトラック表示により選曲を行う一例の処理を示すフローチャートである。
【図５２】フォーカスポイントの大きさを他とは違えることを説明するための図である。
【図５３】実施の一形態の変形例によるトラック選択方法決定の一例の処理を示すフローチャートである。
【符号の説明】
１・・・ディスクドライブ装置、２・・・メディアドライブ部、３・・・メモリ転送コントローラ、４・・・クラスタバッファメモリ、５・・・補助メモリ、６，８・・・ＵＳＢインターフェイス、７・・・ＵＳＢハブ、１０・・・オーディオ処理部、１２・・・ＲＳ−ＬＤＣエンコーダ、１３・・・１−７ｐｐ変調部、１４・・・ＡＣＩＲＣエンコーダ、１５・・・ＥＦＭ変調部、１６・・・セレクタ、１７・・・磁気ヘッドドライバ、１８・・・磁気ヘッド、１９・・・光学ヘッド、２２・・・１−７復調部、２３・・・ＲＳ−ＬＤＣデコーダ、２３・・・ＥＦＭ変調部、２４・・・ＡＣＩＲＣデコーダ、２６・・・セレクタ、３０・・・ＡＤＩＰ復調部、３２，３３・・・アドレスデコーダ、５０・・・操作部、５１・・・表示部、９０・・・ディスク、１０１，１０２・・・操作子、２００・・・文字表示、２０１・・・マトリクス表示
【図１】
2005018881.tif 000003
【図２】
2005018881.tif 000004
【図３】
2005018881.tif 000005
【図４】
2005018881.tif 000006
【図５】
2005018881.tif 000007
【図６】
2005018881.tif 000008
【図７】
2005018881.tif 000009
【図８】
2005018881.tif 000010
【図９】
2005018881.tif 000011
【図１０】
2005018881.tif 000012
【図１１】
2005018881.tif 000013
【図１２】
2005018881.tif 000014
【図１３】
2005018881.tif 000015
【図１４】
2005018881.tif 000016
【図１５】
2005018881.tif 000017
【図１６】
2005018881.tif 000018
【図１７】
2005018881.tif 000019
【図１８】
2005018881.tif 000020
【図１９】
2005018881.tif 000021
【図２０】
2005018881.tif 000022
【図２１】
2005018881.tif 000023
【図２２】
2005018881.tif 000024
【図２３】
2005018881.tif 000025
【図２４】
2005018881.tif 000026
【図２５】
2005018881.tif 000027
【図２６】
2005018881.tif 000028
【図２７】
2005018881.tif 000029
【図２８】
2005018881.tif 000030
【図２９】
2005018881.tif 000031
【図３０】
2005018881.tif 000032
【図３１】
2005018881.tif 000033
【図３２】
2005018881.tif 000034
【図３３】
2005018881.tif 000035
【図３４】
2005018881.tif 000036
【図３５】
2005018881.tif 000037
【図３６】
2005018881.tif 000038
【図３７】
2005018881.tif 000039
【図３８】
2005018881.tif 000040
【図３９】
2005018881.tif 000041
【図４０】
2005018881.tif 000042
【図４１】
2005018881.tif 000043
【図４２】
2005018881.tif 000044
【図４３】
2005018881.tif 000045
【図４４】
2005018881.tif 000046
【図４５】
2005018881.tif 000047
【図４６】
2005018881.tif 000048
【図４７】
2005018881.tif 000049
【図４８】
2005018881.tif 000050
【図４９】
2005018881.tif 000051
【図５０】
2005018881.tif 000052
【図５１】
2005018881.tif 000053
【図５２】
2005018881.tif 000054
【図５３】
2005018881.tif 000055